(57)【要約】【課題】本発明は、指やペンによるタッチとタッチ用ペンによるホバリング又はタッチを区別して感知されるホバリング入力効果を提供する電子装置及びその制御方法を提供する。【解決手段】本発明は、ホバリング入力効果を提供する電子装置を制御する方法であって、入力領域を電子装置のディスプレイ部に表示するステップと、前記ディスプレイ部上の入力手段の位置とディスプレイ部から前記入力手段までの高さのうち少なくとも一つを感知するステップと、  前記入力手段を使用したホバリング入力に対応するホバリング入力効果を前記入力領域に表示するステップとを有する。【選択図】図５
2014110055.tif 000002
【特許請求の範囲】
【請求項１】
ホバリング入力効果を提供する電子装置を制御する方法であって、
入力領域を電子装置のディスプレイ部に表示するステップと、
前記ディスプレイ部上の入力手段の位置と前記ディスプレイ部から前記入力手段までの高さのうち少なくとも一つを感知するステップと、
前記入力手段を使用した前記ホバリング入力に対応するホバリング入力効果を前記入力領域に表示するステップと、
を有することを特徴とする方法。
【請求項２】
前記ホバリング入力を感知する機能が活性化されているか否かを判定するステップをさらに有することを特徴とする請求項１に記載の方法。
【請求項３】
前記ホバリング入力効果は、前記ディスプレイ部上の入力手段の位置と前記ディスプレイ部から前記入力手段までの高さのうち少なくとも一つにより前記入力領域に表示されることを特徴とする請求項１に記載の方法。
【請求項４】
前記ホバリング入力効果は、前記ディスプレイ部上の入力手段の位置と前記ディスプレイ部から前記入力手段までの高さの変化により前記入力領域に表示されることを特徴とする請求項１に記載の方法。
【請求項５】
前記入力手段は、タッチ用ペン又は指であることを特徴とする請求項１に記載の方法。
【請求項６】
前記タッチ用ペンはコイルを内蔵し、
前記ディスプレイ部はタッチスクリーンを含み、
前記タッチスクリーンは、電磁誘導(ＥＭＲ)に基づいて前記タッチ用ペンを感知するＥＭＲ方式タッチパネルを含むことを特徴とする請求項５に記載の方法。
【請求項７】
前記タッチスクリーンは静電容量方式タッチパネルをさらに含み、
制御部によって前記静電容量方式タッチパネルを通じるタッチを前記ＥＭＲ方式タッチパネルを通じるホバリング又はタッチと区別することを特徴とする請求項６に記載の方法。
【請求項８】
前記入力手段はタッチ用ペンを含み、
前記ホバリング入力は、前記タッチ用ペンに形成されたボタン押し、前記タッチ用ペンに対するタップ、前記タッチ用ペンが臨界速度より速い移動、及びアイコンに対するタッチのうち少なくとも一つを含むことを特徴とする請求項１に記載の方法。
【請求項９】
前記ホバリング入力効果は、太さが変更される筆書き効果、刻む程度が変更される彫刻刀効果、スプレーされる面積が変更されるスプレー効果、広がる面積が変更される水滴落下表示効果、広がる面積が変更されるインク染み効果、スプレーされる程度が変更されるまき散らし効果、前記リアルタイム高さに対応して表示されるスタンプ効果のうち少なくとも一つを含むことを特徴とする請求項１に記載の方法。
【請求項１０】
前記ホバリング入力効果に対する選択を検出するステップと、
前記選択されたホバリング入力効果が前記ホバリング入力を感知する入力機能をサポートするか否かを判定するステップと、
をさらに有することを特徴とする請求項１に記載の方法。
【請求項１１】
ホバリングポインタを前記ディスプレイ部上に表示するステップをさらに有することを特徴とする請求項１に記載の方法。
【請求項１２】
ホバリング入力効果を提供する電子装置であって、
入力領域を表示するディスプレイ部と、
前記ディスプレイ部上の入力手段の位置と前記ディスプレイ部から前記入力手段までの高さのうち少なくとも一つを感知し、
前記入力手段を使用した前記ホバリング入力に対応するホバリング入力効果を前記入力領域に表示する制御部と、
を含むことを特徴とする電子装置。
【請求項１３】
前記制御部は、前記ホバリング入力を感知する機能が活性化されているか否かを判定することを特徴とする請求項１２に記載の電子装置。
【請求項１４】
前記制御部は、前記ディスプレイ部上の入力手段の位置と前記ディスプレイ部から前記入力手段までの高さのうち少なくとも一つによる前記入力領域に前記ホバリング入力効果を表示することを特徴とする請求項１２に記載の電子装置。
【請求項１５】
前記制御部は、前記ディスプレイ部上の入力手段の位置と前記ディスプレイ部の入力手段の高さの変化により前記入力領域に前記ホバリング入力効果を表示することを特徴とする請求項１２に記載の電子装置。
【発明の詳細な説明】
【技術分野】
【０００１】
本発明は電子装置のユーザーインターフェース(ＵＩ)に関するもので、特にホバリング入力効果を効果的に提供する方法に関する。
【背景技術】
【０００２】
電子装置の入力モジュールは多様な種類がある。最近、電子装置で使用されてきたキーボードやマウスのような入力モジュールは、タッチスクリーンに置き換えられている。
【０００３】
タッチスクリーンは、電子装置の画面を表示するディスプレイ部だけでなく、ユーザーのタッチを感知して入力データを受信する入力モジュールとして使用されている。タッチスクリーンは、静電容量方式又は抵抗膜方式が広く使われる。タッチスクリーンは、静電容量方式又は抵抗膜方式が実現されたタッチパネルを通じてユーザーの指タッチを検出できる。
【０００４】
しかしながら、従来のタッチスクリーンは、ユーザーの指タッチを通じてタッチスクリーンの一つのタッチ以外の他の入力を受信できないという問題点がある。すなわち、従来のタッチスクリーンにタッチを入力するために、タッチスクリーンに直接指を接触しなければならないという不便さがあった。また、従来のタッチスクリーンは、ユーザーのダイレクトタッチ以外のインターフェースは提供しないという問題点があった。すなわち、従来のタッチスクリーンは、ダイレクトタッチに対する効果のみを画面上に表示するだけで、それ以外の効果は提供しない。したがって、ユーザーの直接的なタッチ以外の多様なインターフェースを通じる効果を提供する技術が要求される。
【先行技術文献】
【特許文献】
【０００５】
【特許文献１】韓国特許公開第２０１１−０１１２６０６号公報
【発明の概要】
【発明が解決しようとする課題】
【０００６】
したがって、上記した従来技術の問題点を解決するために、本発明の目的は、指やペンによるタッチとタッチ用ペンによるホバリング又はタッチを区別して感知されるホバリング入力効果を提供する電子装置及びその制御方法を提供することにある。
【０００７】
本発明の他の目的は、ホバリング入力イベントに対応する予め定められたホバリング入力効果を入力領域に表示できるホバリング入力効果を提供する電子装置及びその制御方法を提供することにある。
【０００８】
また、本発明の目的は、選択された入力効果がホバリング入力機能をサポートするか否かを判定し、ホバリング入力イベントとリアルタイム高さに対応するホバリング入力効果を入力領域に表示できるホバリング入力効果を提供する電子装置及びその制御方法を提供することにある。
【０００９】
さらに、本発明の目的は、ホバリングポインタをディスプレイ部上に表示し、ホバリング入力イベントとリアルタイム高さに対応するホバリング入力効果を入力領域に表示できるホバリング入力効果を提供する電子装置及びその制御方法を提供することにある。
【課題を解決するための手段】
【００１０】
上記のような目的を達成するために、本発明の一態様によれば、ホバリング入力効果を提供する電子装置制御方法であって、入力領域を電子装置のディスプレイ部に表示するステップと、前記ディスプレイ部上の入力手段の位置とディスプレイ部から入力手段までの高さのうち少なくとも一つを感知するステップと、
前記入力手段を使用したホバリング入力に対応するホバリング入力効果を入力領域に表示するステップとを有する。
【００１１】
また、ホバリング入力効果を提供する電子装置制御方法であって、ホバリング入力機能が活性化されているか否かを判定するステップをさらに有する。
【００１２】
ホバリング入力効果を提供する電子装置制御方法であって、所定のホバリング入力効果は、リアルタイム高さにより入力領域に表示される。
【００１３】
ホバリング入力効果を提供する電子装置制御方法であって、所定のホバリング入力効果は、ホバリング位置の変化により入力領域に表示される。
【００１４】
上記入力手段は、タッチ用ペン又は指である。
【００１５】
上記タッチ用ペンはコイルを内蔵し、ディスプレイ部はタッチスクリーンを含み、
【００１６】
タッチスクリーンは、電磁誘導(ＥＭＲ)に基づいてタッチ用ペンを感知するＥＭＲ方式タッチパネルを含む。
【００１７】
ホバリング入力効果を提供する電子装置制御方法であって、タッチスクリーンは静電容量方式タッチパネルをさらに含み、制御部は、静電容量方式タッチパネルを通じるタッチをＥＭＲ方式タッチパネルを通じるホバリング又はタッチと区別する。
【００１８】
ホバリング入力効果を提供する電子装置制御方法であって、入力手段はタッチ用ペンであり、ホバリング入力イベントは、タッチ用ペンに形成されたボタン押し、タッチ用ペンに対するタップ、タッチ用ペンが所定の速度より速い移動、及びアイコンに対するタッチのうち少なくとも一つを含む。
【００１９】
ホバリング入力効果を提供する電子装置制御方法であって、所定のホバリング入力効果は、リアルタイム高さにより太さが変更される筆書き効果、リアルタイム高さにより刻む程度が変更される彫刻刀効果、リアルタイム高さによりスプレーされる面積が変更されるスプレー効果、リアルタイム高さにより広がる面積が変更される水滴落下表示効果、リアルタイム高さにより広がる面積が変更されるインク染み効果、リアルタイム高さによりスプレーされる程度が変更されるまき散らし効果、リアルタイム高さに対応して表示されるスタンプ効果のうち少なくとも一つを含む。
【００２０】
ホバリング入力効果を提供する電子装置制御方法であって、入力効果に対する選択を検出するステップと、選択された入力効果がホバリング入力機能をサポートするか否かを判定するステップとをさらに有する。
【００２１】
ホバリング入力効果を提供する電子装置制御方法であって、ホバリングポインタをディスプレイ部上に表示するステップをさらに有する。
【００２２】
ホバリング入力効果を提供する電子装置であって、入力領域を表示するディスプレイ部と、前記ディスプレイ部上の入力手段の位置とディスプレイ部から入力手段までの高さのうち少なくとも一つを感知し、
前記入力手段を使用したホバリング入力に対応するホバリング入力効果を入力領域に表示する制御部とを含む。
【００２３】
上記制御部は、ホバリング入力機能が活性化されているか否かを判定する。
【００２４】
上記制御部は、入力手段のリアルタイム高さによる入力領域に所定のホバリング入力効果を表示する。
【００２５】
上記制御部は、入力手段のホバリング位置の変化により入力領域に所定のホバリング入力効果を表示する。
【００２６】
また、ホバリング入力効果を提供する電子装置制御装置であって、入力手段はタッチ用ペン又は指である。
【００２７】
ホバリング入力効果を提供する電子装置制御装置であって、タッチ用ペンはコイルを内蔵し、ディスプレイ部はタッチスクリーンを含み、タッチスクリーンはＥＭＲに基づいてタッチ用ペンを感知するＥＭＲ方式のタッチパネルを含む。
【００２８】
また、本発明による電子装置において、タッチスクリーンは静電容量方式のタッチパネルをさらに含み、制御部はこの静電容量方式のタッチパネルを通じたタッチとＥＭＲ方式のタッチパネルを通じるホバリング又はタッチを区別して感知する。
【００２９】
さらに、上記入力手段はタッチ用ペンであり、ホバリング入力イベントはタッチ用ペンに形成されたボタン押さえ、タッチ用ペンに対するタップ(tap)、タッチ用ペンが所定の速度より速い移動、アイコンに対するタッチのうちいずれか一つである。
【００３０】
また、予め設定されたホバリング入力効果は、リアルタイム高さに対応して太さが変更される筆書き効果、リアルタイム高さに対応して刻む程度が変更される彫刻刀効果、リアルタイム高さに対応してスプレーされる面積が変更されるスプレー効果、リアルタイム高さに対応して広がる面積が変更される水滴落下表示効果、リアルタイム高さに対応して広がる面積が変更されるインク染み効果、リアルタイム高さに対応してスプレーされる程度が変更されるまき散らし効果、及びリアルタイム高さに対応して表示されるスタンプ効果のうちいずれか一つである。
【００３１】
また、上記制御部は、入力効果に対する選択を検出し、選択された入力効果がホバリング入力機能をサポートするか否かを判定する。
【００３２】
さらに、上記制御部は、ホバリングポインタをディスプレイ部上に表示する。
【発明の効果】
【００３３】
本発明のホバリング入力効果を提供する電子装置及びその制御方法によれば、指又はペンによるタッチとタッチ用ペンによるホバリング又はタッチを区別して感知できる利点がある。
【００３４】
また、本発明は、ホバリング入力イベントに対応する予め設定されたホバリング入力効果を入力領域に表示できる利点がある。
【００３５】
本発明は、ホバリング入力イベントに対応して電子装置から入力手段までのリアルタイム高さに対応して太さが変更される筆書き効果を入力領域に表示できる利点がある。
【００３６】
本発明は、ホバリング入力イベントに対応して電子装置から入力手段までのリアルタイム高さに対応して彫り程度が変更される彫刻刀効果を入力領域に表示できる利点がある。
【００３７】
本発明は、ホバリング入力イベントに対応して電子装置から入力手段までのリアルタイム高さに対応してスプレーされる程度が変更されるスプレー効果を入力領域に表示できる利点がある。
【００３８】
本発明は、ホバリング入力イベントに対応して電子装置から入力手段までのリアルタイム高さに対応して広がる程度が変更される水滴落下表示効果を入力領域に表示できる利点がある。
【００３９】
本発明は、ホバリング入力イベントに対応して電子装置から入力手段までのリアルタイム高さに対応して跳ねる程度が変更される水滴落下表示効果を入力領域に表示できる利点がある。
【００４０】
本発明は、ホバリング入力イベントに対応して電子装置から入力手段までのリアルタイム高さに対応して広がる程度が変更されるインク染み効果を入力領域に表示できる利点がある。
【００４１】
本発明は、ホバリング入力イベントに対応して電子装置から入力手段までのリアルタイム高さに対応してスプレーされる程度が変更されるまき散らし効果を入力領域に表示できる利点がある。
【００４２】
本発明は、ホバリング入力イベントに対応して電子装置から入力手段までのリアルタイム高さに対応して表示されるスタンプ効果を入力領域に表示できる利点がある。
【００４３】
本発明は、選択された入力効果がホバリング入力機能をサポートするか否かを判定し、ホバリング入力イベントとリアルタイム高さに対応するホバリング入力効果を入力領域に表示できる利点がある。
【００４４】
さらに、本発明は、ホバリングポインタをディスプレイ部上に表示し、ホバリング入力イベントとリアルタイム高さに対応するホバリング入力効果を入力領域に表示できる利点がある。
【００４５】
本発明による実施形態の上記及び他の態様、特徴、及び利点は、添付の図面と共に述べる以下の詳細な説明から、一層明らかになるはずである。
【図面の簡単な説明】
【００４６】
【図１】本発明の一実施形態による電子装置を示すブロック構成図である。
【図２】本発明の一実施形態による電子装置の前面斜視図である。
【図３】本発明の一実施形態による電子装置の後面斜視図である。
【図４】本発明の一実施形態による静電容量方式とＥＭＲ方式を組み合わせて実現されるタッチスクリーンを示す内部断面図である。
【図５】本発明の一実施形態によるホバリング入力効果を提供する電子装置制御方法を示すフローチャートである。
【図６Ａ】本発明の一実施形態によるホバリング入力効果を提供する電子装置が入力モードに進入して入力領域をディスプレイ部に表示する動作を示す図である。
【図６Ｂ】本発明の一実施形態によるホバリング入力効果を提供する電子装置が入力モードに進入して入力領域をディスプレイ部に表示する動作を示す図である。
【図７】本発明の一実施形態によるホバリング入力効果を提供する電子装置が電子装置から入力手段までのリアルタイム高さを感知する動作を示す図である。
【図８Ａ】本発明の一実施形態によるホバリング入力効果を提供する電子装置が電子装置から入力手段までのリアルタイム高さを感知する動作を示す図である。
【図８Ｂ】本発明の一実施形態によるホバリング入力効果を提供する電子装置が電子装置から入力手段までのリアルタイム高さを感知する動作を示す図である。
【図９Ａ】本発明の一実施形態によるホバリング入力効果を提供する電子装置が電子装置から入力手段までのリアルタイム高さを感知する動作を示す図である。
【図９Ｂ】本発明の一実施形態によるホバリング入力効果を提供する電子装置がホバリング入力イベントに対応する予め設定されたホバリング入力効果を入力領域に表示する動作を示す図である。
【図１０Ａ】本発明の一実施形態により、リアルタイム高さに対応して刻む程度が変更される彫刻刀効果を入力領域に表示する動作を示す図である。
【図１０Ｂ】本発明の一実施形態により、リアルタイム高さに対応して刻む程度が変更される彫刻刀効果を入力領域に表示する動作を示す図である。
【図１１Ａ】本発明の一実施形態により、リアルタイム高さに対応して刻む程度が変更される彫刻刀効果を入力領域に表示する動作を示す図である。
【図１１Ｂ】本発明の一実施形態により、リアルタイム高さに対応して刻む程度が変更される彫刻刀効果を入力領域に表示する動作を示す図である。
【図１２Ａ】本発明の一実施形態により、リアルタイム高さに対応してスプレーされる面積が変更されるスプレー効果を入力領域に表示する動作を示す図である。
【図１２Ｂ】本発明の一実施形態により、リアルタイム高さに対応してスプレーされる面積が変更されるスプレー効果を入力領域に表示する動作を示す図である。
【図１３Ａ】本発明の一実施形態により、リアルタイム高さに対応してスプレーされる面積が変更されるスプレー効果を入力領域に表示する動作を示す図である。
【図１３Ｂ】本発明の一実施形態により、リアルタイム高さに対応してスプレーされる面積が変更されるスプレー効果を入力領域に表示する動作を示す図である。
【図１４Ａ】本発明の一実施形態により、リアルタイム高さに対応して広がる面積が変更される水滴落下表示効果を入力領域に表示する動作を示す図である。
【図１４Ｂ】本発明の一実施形態により、リアルタイム高さに対応して広がる面積が変更される水滴落下表示効果を入力領域に表示する動作を示す図である。
【図１５Ａ】本発明の一実施形態により、リアルタイム高さに対応して広がる面積が変更される水滴落下表示効果を入力領域に表示する動作を示す図である。
【図１５Ｂ】本発明の一実施形態により、リアルタイム高さに対応して広がる面積が変更される水滴落下表示効果を入力領域に表示する動作を示す図である。
【図１６Ａ】本発明の一実施形態により、リアルタイム高さに対応して跳ねる面積が変更される水滴落下表示効果を入力領域に表示する動作を示す図である。
【図１６Ｂ】本発明の一実施形態により、リアルタイム高さに対応して跳ねる面積が変更される水滴落下表示効果を入力領域に表示する動作を示す図である。
【図１７Ａ】本発明の一実施形態により、リアルタイム高さに対応して広がる面積が変更されるインク染み効果を入力領域に表示する動作を示す図である。
【図１７Ｂ】本発明の一実施形態により、リアルタイム高さに対応して広がる面積が変更されるインク染み効果を入力領域に表示する動作を示す図である。
【図１８Ａ】本発明の一実施形態により、リアルタイム高さに対応してスプレーされる程度が変更されるまき散らし効果を入力領域に表示する動作を示す図である。
【図１８Ｂ】本発明の一実施形態により、リアルタイム高さに対応してスプレーされる程度が変更されるまき散らし効果を入力領域に表示する動作を示す図である。
【図１９Ａ】本発明の一実施形態により、リアルタイム高さに対応してスプレーされる程度が変更されるまき散らし効果を入力領域に表示する動作を示す図である。
【図１９Ｂ】本発明の一実施形態により、リアルタイム高さに対応してスプレーされる程度が変更されるまき散らし効果を入力領域に表示する動作を示す図である。
【図２０Ａ】本発明の一実施形態により、リアルタイム高さに対応して表示されるスタンプ効果を入力領域に表示する動作を示す図である。
【図２０Ｂ】本発明の一実施形態により、リアルタイム高さに対応して表示されるスタンプ効果を入力領域に表示する動作を示す図である。
【図２１Ａ】本発明の一実施形態により、リアルタイム高さに対応して表示されるスタンプ効果を入力領域に表示する動作を示す図である。
【図２１Ｂ】本発明の一実施形態により、リアルタイム高さに対応して表示されるスタンプ効果を入力領域に表示する動作を示す図である。
【図２１Ｃ】本発明の一実施形態により、リアルタイム高さに対応して表示されるスタンプ効果を入力領域に表示する動作を示す図である。
【図２２】発明の他の実施形態によるホバリング入力効果を提供する電子装置制御方法を示すフローチャートである。
【図２３Ａ】本発明の他の実施形態によるホバリング入力効果を提供する電子装置が選択された入力効果がホバリング入力機能をサポートするか否かを判定し、ホバリング入力イベントとリアルタイム高さに対応するホバリング入力効果を入力領域に表示する動作を示す図である。
【図２３Ｂ】本発明の他の実施形態によるホバリング入力効果を提供する電子装置が選択された入力効果がホバリング入力機能をサポートするか否かを判定し、ホバリング入力イベントとリアルタイム高さに対応するホバリング入力効果を入力領域に表示する動作を示す図である。
【図２３Ｃ】本発明の他の実施形態によるホバリング入力効果を提供する電子装置が選択された入力効果がホバリング入力機能をサポートするか否かを判定し、ホバリング入力イベントとリアルタイム高さに対応するホバリング入力効果を入力領域に表示する動作を示す図である。
【図２４】本発明の他の実施形態によるホバリング入力効果を提供する電子装置制御方法を示すフローチャートである。
【図２５Ａ】本発明の一実施形態によるホバリング入力効果を提供する電子装置がホバリングポインタをディスプレイ部上に表示し、ホバリング入力イベントとリアルタイム高さに対応するホバリング入力効果を入力領域に表示する動作を示す図である。
【図２５Ｂ】本発明の一実施形態によるホバリング入力効果を提供する電子装置がホバリングポインタをディスプレイ部上に表示し、ホバリング入力イベントとリアルタイム高さに対応するホバリング入力効果を入力領域に表示する動作を示す図である。
【図２５Ｃ】本発明の一実施形態によるホバリング入力効果を提供する電子装置がホバリングポインタをディスプレイ部上に表示し、ホバリング入力イベントとリアルタイム高さに対応するホバリング入力効果を入力領域に表示する動作を示す図である。
【図２６Ａ】本発明の一実施形態によるホバリング入力効果を提供する電子装置がホバリングポインタをディスプレイ部上に表示し、ホバリング入力イベントとリアルタイム高さに対応するホバリング入力効果を入力領域に表示する動作を示す図である。
【図２６Ｂ】本発明の一実施形態によるホバリング入力効果を提供する電子装置がホバリングポインタをディスプレイ部上に表示し、ホバリング入力イベントとリアルタイム高さに対応するホバリング入力効果を入力領域に表示する動作を示す図である。
【発明を実施するための形態】
【００４７】
以下、本発明の望ましい実施形態を添付の図面を参照して詳細に説明する。
【００４８】
したがって、本発明の実施形態では、理解を助けるために多様で詳細な説明を含む。しかしながら、これら詳細な説明は、ほぼ典型的な例として考えられる。また、本発明の範囲及び精神を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００４９】
‘第１’、‘第２’のように序数を含む用語は多様な構成要素を説明するために使用されるが、構成要素は、上記用語により限定されるものではない。これら用語は、一つの構成要素を他の構成要素から区別する目的のみで使われる。例えば、本発明の権利範囲を逸脱することなく、第１の構成要素は第２の構成要素と称され、同様に第２の構成要素も第１の構成要素と称される。‘及び/又は’との用語は、複数の関連した記載項目の組み合わせ又は複数の関連した記載項目のうちいずれかの項目を含む。
【００５０】
英文明細書に記載の“ａ”、“ａｎ”、及び“ｔｈｅ”、すなわち単数形は、コンテキスト中に特記で明示されない限り、複数形を含むことは、当業者にはわかることである。また、‘含む’又は‘有する’などの用語は、明細書上に記載された特徴、数字、段階、動作、構成要素、部品又はこれらを組み合わせたことが存在することを指定しようとするものであって、一つ又はそれ以上の他の特徴が数字、段階、動作、構成要素、部品又はこれらを組み合わせるものの存在又は付加可能性を予め排除しないことを理解しなければならない。
【００５１】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００５２】
図１は、本発明の一実施形態による電子装置１００を示す概略的なブロック構成図である。
【００５３】
図１を参照すれば、電子装置１００は、サブ通信モジュール１３０、コネクタ１６５、及びイヤホン連結ジャック１６７のような外部装置連結部を用いて外部装置(図示せず)と接続される。用語“外部装置”は、電子装置１００に脱着されて有線で連結可能なイヤホン、外部スピーカー、ＵＳＢ(Universal  Serial  Bus)メモリ、充電器、クレードル(cradle)、ドッキングステーション(docking  station)、ＤＭＢ(Digital Multimedia Broadcasting)アンテナ、支払装置、健康管理装置(血糖計など)、ゲーム機、自動車ナビゲーション装置など多様な装置を含むことができる。また、‘外部装置’は、近距離通信により無線で電子装置１００に連結可能なブルートゥース（登録商標）通信装置、ＮＦＣ(Near  Field  Communication)装置のような近距離通信装置、及びＷｉＦｉ直接通信装置、無線アクセスポイント(ＡＰ)を含むことができる。また、上記外部装置は、他の電子装置、携帯電話、スマートフォン、タブレットＰＣ、デスクトップＰＣ、及びサーバであり得る。
【００５４】
電子装置１００は、代表的な例としてモバイル装置１００であるが、タブレット、デスクトップＰＣ、スマートＴＶ、ラップトップ、音楽プレーヤー、ＭＰ３プレーヤーであり得る。
【００５５】
図１を参照すると、電子装置１００は、ディスプレイ部１９０及びディスプレイ部コントローラ１９５を含む。また、電子装置１００は、制御部１１０、移動通信モジュール１２０、サブ通信モジュール１３０、マルチメディアモジュール１４０、カメラモジュール１５０、ＧＰＳモジュール１５５、入出力(Ｉ/Ｏ)モジュール１６０、センサーモジュール１７０、格納部１７５、及び電源供給部１８０を含む。サブ通信モジュール１３０は、無線ＬＡＮモジュール１３１及び近距離通信モジュール１３２のうち少なくとも一つを含み、マルチメディアモジュール１４０は、放送通信モジュール１４１、オーディオ再生モジュール１４２、及び動画像再生モジュール１４３のうち少なくとも一つを含む。カメラモジュール１５０は、第１のカメラ１５１及び第２のカメラ１５２のうち少なくとも一つを含み、Ｉ/Ｏモジュール１６０は、ボタン１６１、マイク１６２、スピーカー１６３、振動モーター１６４、コネクタ１６５、キーパッド１６６、及びイヤホン連結ジャック１６７のうち少なくとも一つを含む。
【００５６】
制御部１１０は、ＣＰＵ(Central Processing Unit)１１１、電子装置１００の制御のための制御プログラムが格納されるＲＯＭ(Read Only Memory)１１２、及び電子装置１００の外部から受信される信号又はデータを格納し、あるいは電子装置１００により遂行される動作のための記憶領域として使用されるＲＡＭ(Random Access Memory)１１３を含むことができる。ＣＰＵ１１１は、シングルコア、デュアルコア、トリプルコア、又はクアッドコアを含むことができる。ＣＰＵ１１１、ＲＯＭ１１２、及びＲＡＭ１１３は、内部バスを通じて相互接続することができる。
【００５７】
制御部１１０は、移動通信モジュール１２０、サブ通信モジュール１３０、マルチメディアモジュール１４０、カメラモジュール１５０、ＧＰＳモジュール１５５、Ｉ/Ｏモジュール１６０、センサーモジュール１７０、格納部１７５、電源供給部１８０、ディスプレイ部１９０、及びディスプレイ部コントローラ１９５を制御できる。
【００５８】
移動通信モジュール１２０は、制御部１１０の制御により少なくとも一つ−一つ又は複数−のアンテナ(図示せず)を通じて移動通信により電子装置１００が外部装置に接続する。移動通信モジュール１２０は、電子装置１００に入力される電話番号を有する携帯電話(図示せず)、スマートフォン(図示せず)、タブレットＰＣ(図示せず)、又は他の装置(図示せず)と音声通話、画像通話、文字メッセージ(ＳＭＳ)、又はマルチメディアメッセージ(ＭＭＳ)のための無線信号を送受信する。
【００５９】
サブ通信モジュール１３０は、無線ＬＡＮ(ＷＬＡＮ)モジュール１３１と近距離通信モジュール１３２のうち少なくとも一つを含むことができる。例えば、無線ＬＡＮモジュール１３１のみを含み、あるいは近距離通信モジュール１３２のみを含み、又は無線ＬＡＮモジュール１３１と近距離通信モジュール１３２両方ともを含むことができる。
【００６０】
無線ＬＡＮモジュール１３１は、制御部１１０の制御により無線アクセスポイント(ＡＰ)(図示せず)が設置された場所でインターネットに接続できる。無線ＬＡＮモジュール１３１は、米国電気電子学会(ＩＥＥＥ)の無線ＬＡＮ規格ＩＥＥＥ８０２.１１ｘをサポートする。近距離通信モジュール１３２は、制御部１１０の制御により電子装置１００と画像形成装置(図示せず)との間で無線で近距離通信を遂行できる。近距離通信方式は、ブルートゥース(bluetooth)（登録商標）、赤外線通信(ＩｒＤＡ)、ＷｉＦｉダイレクト通信、ＮＦＣ(Near  Field  Communication)などが含まれ得る。
【００６１】
電子装置１００は、性能に従って移動通信モジュール１２０、無線ＬＡＮモジュール１３１、及び近距離通信モジュール１３２のうち少なくとも一つを含むことができる。例えば、電子装置１００は、性能に従って移動通信モジュール１２０、無線ＬＡＮモジュール１３１、及び近距離通信モジュール１３２などの組み合わせを含むことができる。
【００６２】
マルチメディアモジュール１４０は、放送通信モジュール１４１、オーディオ再生モジュール１４２、又は動画像再生モジュール１４３を含むことができる。放送通信モジュール１４１は、制御部１１０の制御下に、放送通信アンテナ(図示せず)を通じて放送局から放送信号(例えば、ＴＶ放送信号、ラジオ放送信号、又はデータ放送信号)及び放送付加情報(例えば、ＥＰＧ(Electric  Program  Guide)又はＥＳＧ(Electric  Service  Guide))を受信することができる。オーディオ再生モジュール１４２は、制御部１１０の制御によって格納又は受信されるデジタルオーディオファイル(例えば、拡張子がｍｐ３、ｗｍａ、ｏｇｇ、又はｗａｖなどを有するファイル)を再生できる。動画像再生モジュール１４３は、制御部１１０の制御によって格納又は受信されるデジタル動画像ファイル(例えば、ファイル拡張子がｍｐｅｇ、ｍｐｇ、ｍｐ４、ａｖｉ、ｍｏｖ、又はｍｋｖなどを有するファイル)を再生できる。動画像再生モジュール１４３は、デジタルオーディオファイルを再生できる。
【００６３】
マルチメディアモジュール１４０は、放送通信モジュール１４１を除き、オーディオ再生モジュール１４２と動画像再生モジュール１４３を含むことができる。また、マルチメディアモジュール１４０のオーディオ再生モジュール１４２又は動画像再生モジュール１４３は、制御部１１０に含まれ得る。
【００６４】
カメラモジュール１５０は、制御部１１０の制御下に、静止画像(still  image)又は動画像を撮影する第１のカメラ１５１及び第２のカメラ１５２のうち少なくとも一つを含むことができる。また、第１のカメラ１５１又は第２のカメラ１５２は、撮影に必要な光量を提供する補助光源(例えば、フラッシュ(図示せず))を含むことができる。第１のカメラ１５１は電子装置１００の前面に配置され、第２のカメラ１５２は電子装置１００の後面に配置される。あるいは、第１のカメラ１５１と第２のカメラ１５２は、隣接するように(例えば、第１のカメラ１５１と第２のカメラ１５２の間隔が１ｃｍより大きく、８ｃｍよりは小さく)配置されて３次元静止画又は３次元動画像を撮影できる。
【００６５】
ＧＰＳモジュール１５５は、地球軌道上の複数のＧＰＳ衛星(図示せず)から電波を受信し、ＧＰＳ衛星から電子装置１００まで電波到達時間に基づいて電子装置１００の位置を算出できる。
【００６６】
Ｉ/Ｏモジュール１６０は、複数のボタン１６１、マイク１６２、スピーカー１６３、振動モーター１６４、コネクタ１６５、及びキーパッド１６６のうち少なくとも一つを含むことができる。
【００６７】
ボタン１６１は、電子装置１００のハウジングの前面、側面、又は後面に形成され、電源/ロックボタン、ボリュームボタン、メニューボタン、ホームボタン、戻るボタン(back  button)、及び検索ボタンのうち少なくとも一つを含むことができる。
【００６８】
マイク１６２は、制御部１１０の制御により音声又はサウンドを受信して電気的な信号を生成する。
【００６９】
スピーカー１６３は、制御部１１０の制御によって移動通信モジュール１２０、サブ通信モジュール１３０、マルチメディアモジュール１４０、又はカメラモジュール１５０の多様な信号(例えば、無線信号、放送信号、デジタルオーディオファイル、デジタル動画像ファイル、又は写真撮影など)に対応するサウンドを電子装置１００の外部に出力できる。スピーカー１６３は、電子装置１００により遂行される機能に対応するサウンド(例えば、電話通話に対応するボタン操作音、又は通話連結音)を出力できる。スピーカー１６３は、電子装置１００のハウジングの適切な位置又は位置に一つ又は複数個形成することができる。
【００７０】
振動モーター１６４は、制御部１１０の制御によって電気的信号を機械的振動に変換できる。例えば、振動モードにある電子装置１００が他の電子装置(図示せず)から音声通話が受信される場合、振動モーター１６４が動作する。電子装置１００のハウジング内に一つ以上の振動モーター１６４を形成することができる。振動モーター１６４は、タッチスクリーンに形成されたディスプレイ部１９０をタッチするユーザーのタッチ動作及びこのディスプレイ部１９０上でタッチの連続的な動きに応答して動作できる。
【００７１】
コネクタ１６５は、電子装置１００と外部装置(図示せず)又は電源ソース(図示せず)を接続するためのインターフェースとして使用することができる。電子装置１００は、制御部１１０の制御下に、コネクタ１６５に接続された有線ケーブルを介して電子装置１００の格納部１７５に格納されているデータを外部装置(図示せず)に伝送するか、あるいは外部装置からデータを受信することができる。このとき、外部装置は、ドッキングステーションであり、データは外部入力装置、例えば、マウス、又はキーボードから受信される入力信号であり得る。また、電子装置１００は、コネクタ１６５に接続された有線ケーブルを介して電源ソース(図示せず)から電源を受信し、あるいは電源ソースを用いてバッテリー(図示せず)を充電することができる。
【００７２】
キーパッド１６６は、電子装置１００の制御のためにユーザーからキー入力を受信することができる。キーパッド１６６は、電子装置１００に形成される物理的なキーパッド(図示せず)又は上記ディスプレイ部１９０に表示される仮想のキーパッド(図示せず)を含む。電子装置１００に形成される物理的なキーパッド(図示せず)は、電子装置１００の性能又は構造に従って除外され得る。
【００７３】
イヤホン連結ジャック１６７にはイヤホン(図示せず)が挿入されて電子装置１００に接続することができる。
【００７４】
センサーモジュール１７０は、電子装置１００の状態を検出する少なくとも一つのセンサーを含む。例えば、センサーモジュール１７０は、ユーザーが電子装置１００に接近するか否かを検出する近接センサー、電子装置１００の光量を検出する照度センサー(図示せず)、電子装置１００の動作(例えば、電子装置１００の回転、加速度、振動など)を検出する運動センサー(図示せず)、 地球磁場を用いて方位(point of the compass)を検出する地磁場センサー(図示せず)、重力の作用方向を検出する動力センサー(図示せず)、大気の圧力を測定して高度を検出する高度計(図示せず)を含むことができる。少なくとも一つのセンサーは、電子装置１００の状態を検出し、検出に対応する信号を生成して制御部１１０に伝送できる。センサーモジュール１７０のセンサーは、電子装置１００の性能に従って追加又は削除され得る。
【００７５】
格納部１７５は、制御部１１０の制御下に、移動通信モジュール１２０、サブ通信モジュール１３０、マルチメディアモジュール１４０、カメラモジュール１５０、ＧＰＳモジュール１５５、Ｉ/Ｏモジュール１６０、センサーモジュール１７０、及びディスプレイ部１９０の動作により入/出力信号又はデータを格納できる。格納部１７５は、電子装置１００又は制御部１１０の制御のための制御プログラム及びアプリケーションを格納することができる。
【００７６】
用語“格納部”は、格納部１７５、制御部１１０内のＲＯＭ１１２、ＲＡＭ１１３、又は電子装置１００に装着されるメモリカード(図示せず)(例えば、ＳＤカード、メモリスティック)を含む。格納部は、非揮発性メモリ、揮発性メモリ、ハードディスクドライブ(ＨＤＤ)、又はソリッドステートドライブ(ＳＳＤ)を含むことができる。
【００７７】
電源供給部１８０は、制御部１１０の制御によって電子装置１００のハウジングに配置される一つ又は複数のバッテリー(図示せず)に電源を供給できる。一つ又は複数のバッテリー(図示せず)は、電子装置１００に電源を供給する。さらに、電源供給部１８０は、コネクタ１６５に接続された有線ケーブルを介して外部の電源ソース(図示せず)から受信される電源を電子装置１００に供給できる。また、電源供給部１８０は、無線充電技術により外部の電源ソースから無線で受信される電源を電子装置１００に供給することができる。
【００７８】
ディスプレイ部１９０は、タッチスクリーンを含むことができる。タッチスクリーンは、ユーザーに多様なサービス(例えば、通話、データ伝送、放送、及び写真撮影)に対応するユーザーインターフェースを提供できる。タッチスクリーン１９０は、ユーザーインターフェースに入力される少なくとも一つのタッチに対応するアナログ信号をディスプレイ部コントローラ１９５に伝送できる。タッチスクリーン１９０は、ユーザーの身体(例えば、親指を含む指)又はタッチ可能な入力手段(例えば、スタイラスペン)を通じて少なくとも一つのタッチを受信することができる。また、タッチスクリーン１９０は、少なくとも一つのタッチの中で、一つのタッチの連続的な動きを受信することができる。タッチスクリーン１９０は、入力されるタッチの連続的な動きに対応するアナログ信号をタッチスクリーンコントローラ１９５に伝送できる。
【００７９】
本発明において、タッチは、タッチスクリーン１９０とユーザーの身体又はタッチ可能な入力手段との接触に限定されず、非接触を含むことができる。タッチスクリーン１９０で検出可能な間隔は、電子装置１００の性能又は構造に従って変更できる。
【００８０】
タッチスクリーン１９０は、 例えば、抵抗膜(resistive)方式、静電容量方式、電磁気誘導(Electronic  Magnetic  Resonance：ＥＭＲ)方式、赤外線(infrared)方式、又は超音波(acoustic  wave)方式で実現でき、一つ以上の上記方式が組み合わせて実現できる。
【００８１】
タッチスクリーンコントローラ１９５は、タッチスクリーン１９０から受信されたアナログ信号をデジタル信号(例えば、ＸとＹの座標)に変換して制御部１１０に伝送する。制御部１１０は、タッチスクリーンコントローラ１９５から受信されたデジタル信号を用いてタッチスクリーン１９０を制御できる。例えば、制御部１１０は、タッチに応答してタッチスクリーン１９０に表示された短縮アイコン(図示せず)の選択又は実行を制御する。また、タッチスクリーンコントローラ１９５は、制御部１１０に含まれ得る。
【００８２】
図２は、本発明の一実施形態による電子装置の前面斜視図である。図３は、本発明の一実施形態による電子装置の後面斜視図である。
【００８３】
図２を参照すれば、電子装置１００の前面１００ａの中央にはタッチスクリーンに形成されたディスプレイ部１９０が配置される。タッチスクリーン１９０は、電子装置１００の前面１００ａの大部分を占めるように大きく形成される。図２では、タッチスクリーン１９０にメインホーム画面が表示される例を示す。メインホーム画面は、電子装置１００の電源をつけた場合、タッチスクリーン１９０上に表示される最初の画面である。また、電子装置１００が複数のページの相互に異なるホーム画面を有する場合、メインホーム画面は、いろいろなページのホーム画面のうち最初のホーム画面であり得る。よく使用されるアプリケーションを実行するための短縮アイコン１９１-１，１９１-２，１９１-３、アプリケーション切り替えキー１９１-４、時間、天気は、ホーム画面に表示され得る。アプリケーション切り替えキー１９１-４は、タッチスクリーン１９０上にアプリケーションを示すアプリケーションアイコンを画面上に表示する。また、状態バー１９２は、バッテリー充電状態、受信信号の強さ、現在視覚のような電子装置１００の状態を表示するためにタッチスクリーン１９０の上端に形成され得る。
【００８４】
ホームボタン１６１ａ、メニューボタン１６１ｂ、及び戻るボタン１６１ｃは、タッチスクリーン１９０の下部に形成することができる。
【００８５】
ホームボタン１６１ａは、タッチスクリーン１９０にメインホーム画面を表示するために使用される。例えば、タッチスクリーン１９０にメインホーム画面と他のホーム画面又はメニュー画面が表示された状態で、ホームボタン１６１ａが押されると(又はタッチされると)、タッチスクリーン１９０にメインホーム画面を表示できる。また、タッチスクリーン１９０上でアプリケーションが実行される途中で、ホームボタン１６１ａが押されると(又はタッチされると)、タッチスクリーン１９０上には図２に示すメインホーム画面を表示できる。また、ホームボタン１６１ａは、タッチスクリーン１９０上に最近使用されたアプリケーションを表示し、あるいはタスクマネージャ(task  manager)を表示するために使用することもできる。
【００８６】
メニューボタン１６１ｂは、タッチスクリーン１９０上で使用可能なリンクメニューを提供する。リンクメニューは、ウィジェット追加メニュー、背景画面変更メニュー、検索メニュー、編集メニュー、環境設定メニューなどが含まれ得る。そして、アプリケーション実行中にアプリケーションに連結されたリンクメニューを提供することができる。
【００８７】
戻るボタン１６１ｃは、現在実行されている画面の直前に実行された画面を表示し、あるいは最も最近に使われたアプリケーションを終了できる。
【００８８】
電子装置１００の前面１００ａの縁には第１のカメラ１５１と照度センサー１７０ａ、及び近接センサー１７０ｂが配置可能である。電子装置１００の後面１００ｃには第２のカメラ１５２、フラッシュ１５３、スピーカー１６３を配置することができる。また、スピーカー１６３は、電子装置１００の前面１００ａに配置することができる。
【００８９】
電子装置１００の側面１００ｂには、例えば電源/リセットボタン１６１ｄ、ボリュームアップボタン１６１ｆ及びボリュームダウンボタン１６１ｇを含む音量調節ボタン１６１ｅ、放送受信のための地上波ＤＭＢアンテナ１４１ａ、一つ又は複数のマイク１６２などを配置できる。ＤＭＢアンテナ１４１ａは、電子装置１００に固定又は着脱可能に形成することができる。
【００９０】
また、電子装置１００の下端側面にはコネクタ１６５が形成される。多数の電極はコネクタ１６５に形成されており、外部装置と有線で接続できる。イヤホン連結ジャック１６７は、電子装置１００の上端側面に形成され、イヤホンを挿入することができる。
【００９１】
図３を参照すると、第２のカメラ１５２、フラッシュ１５３は、電子装置１００の後面１００ｃの上部に配置することができる。
【００９２】
電子装置１００の下端側面にはコネクタ１６５が形成される。コネクタ１６５は、複数の電極が形成されており、外部装置と有線で連結することができる。イヤホン連結ジャック１６７は、電子装置１００の上端側面に形成され、イヤホンを挿入できる。
【００９３】
また、挿入口１６８は、電子装置１００と別途に構成されたペン２００が挿入される ように電子装置１００の下端側面に形成される。それによって、タッチペン２００は、挿入口１６８に挿入することができる。このペン２００は、後述するボタン２２０を含む。
【００９４】
図４に示すように、本発明の一実施形態ではタッチスクリーン１９０が静電容量方式とＥＭＲ方式で組み合わせて実現される場合を例として説明する。図４は、本発明の実施形態による静電容量方式とＥＭＲ方式を組み合わせて実現されるタッチスクリーン１９０を示す内部断面図である。
【００９５】
図４を参照すると、タッチスクリーン１９０は、表示パネル１９７、第１のタッチパネル１９８、及び第２のタッチパネル１９９を含む。表示パネル１９７は、ＬＣＤ(Liquid Crystal Display)、ＡＭＯＬＥＤ(Active Matrix Organic Light Emitting Diode)のようなパネルであり、電子装置１００の各種動作状態、アプリケーション実行、及びサービスによる多様な映像を表示する。
【００９６】
第１のタッチパネル１９８は、静電容量方式のタッチパネルであって、ガラスの両面に薄い金属伝導性物質(例えば、ＩＴＯ(Indium  Tin  Oxide)膜など)をコーティングしてガラス表面に電流が流れるようにして電荷を貯蔵できる誘電体でコーティングされたパネルである。このような第１のタッチパネル１９８の表面に入力手段(例えば、ユーザーの指又はペン）がタッチされる場合、静電気により一定量の電荷がタッチされた位置に移動し、第１のタッチパネル１９８は、電荷の移動による電流の変化量を認識してタッチされた位置を感知するようになる。第１のタッチパネル１９８を通じて静電気を発生させる可能性のあるすべてのタッチの感知が可能であり、入力手段である指やペンによるタッチの感知がすべて可能である。
【００９７】
第２のタッチパネル１９９は、ＥＭＲ方式のタッチパネルであって、複数のループコイルが所定の第１の方向及び第１の方向と交差する第２の方向に各々配置されてグリッド構造を有する電磁誘導コイルセンサー(図示せず)と、電磁誘導コイルセンサーの各ループコイルに順次に所定の周波数を有する交流信号を提供する電磁信号処理部(図示せず)を含む。このような第２のタッチパネル１９９のループコイル近辺に共振回路を内蔵するタッチ用ペン２００が存在する場合、該当ループコイルから送信される磁界は、タッチ用ペン２００内の共振回路に相互電磁誘導に基づいた電流を発生させる。そして、電流に基づき、誘導磁界はタッチ用ペン２００内の共振回路を構成するコイル２１０から発生され、第２のタッチパネル１９９は、誘導磁界を信号受信状態にあるループコイルで検出する。したがって、第２のタッチパネル１９９は、タッチ用ペン２００のホバリング位置とタッチ位置、及び電子装置１００からタッチ用ペン２００までの高さを感知する。第２のタッチパネル１９９は、電磁気誘導に基づいた電流を発生させる入力手段のホバリング及びタッチの感知が可能である。第２のタッチパネル１９９は、本発明の一実施形態では、タッチ用ペン２００によるホバリング又はタッチ感知専用として利用されると説明する。タッチ用ペン２００は、電磁気ペン又はＥＭＲペンとも称される。また、タッチ用ペン２００は、第１のタッチパネル１９８により感知される共振回路が含まれない一般的なペンとは相異なることができる。
【００９８】
タッチスクリーンコントローラ１９０は、第１のタッチパネルコントローラと第２のタッチパネルコントローラを含むことができる。第１のタッチパネルコントローラは、第１のタッチパネル１９８から手又はペンのタッチ感知により受信されたアナログ信号をデジタル信号(例えば、座標Ｘ，Ｙ，Ｚ)に変換して制御部１１０に伝送する。第２のタッチパネルコントローラは、第２のタッチパネル１９９からタッチ用ペン２００のホバリング又はタッチ感知により受信されたアナログ信号をデジタル信号に変換して制御部１１０に伝送する。制御部１１０は、第１及び第２のタッチパネルコントローラから各々受信されたデジタル信号を用いてディスプレイパネル１９７、第１のタッチパネル１９８、及び第２のタッチパネル１９９を制御できる。例えば、制御部１１０は、指又はペン、又はタッチ用ペン２００などのホバリング又はタッチに応答して表示パネル１９７に所定形態の画面を表示できる。
【００９９】
したがって、本発明の一実施形態による電子装置１００によれば、第１のタッチパネルはユーザーの指やペンによるタッチを感知し、第２のタッチパネルはタッチ用ペン２００によるホバリング又はタッチを感知することができる。電子装置１００の制御部１１０は、ユーザーの指又はペンによるタッチとタッチ用ペン２００によるホバリング又はタッチを区別して感知できる。
【０１００】
図５は、本発明の一実施形態によるホバリング入力効果を提供する電子装置制御方法を示すフローチャートである。
【０１０１】
図５を参照すれば、本発明の一実施形態によるホバリング入力効果を提供する電子装置制御方法は、まず、ステップＳ１１０で、入力モードに進入して入力領域を電子装置のディスプレイ部に表示される。電子装置１００の制御部１１０は、電子装置１００を入力モードに進入させる。入力モードにおいて、制御部１１０は、ユーザーから入力データを受信して格納部１７５に格納し、あるいはディスプレイ部１９０に表示することができる。入力データは、テキスト、イメージ、サウンド、及びビデオのうち少なくとも一つを含むことができる。
【０１０２】
図６Ａ及び図６Ｂは、本発明の一実施形態によるホバリング入力効果を提供する電子装置が入力モードに進入して入力領域をディスプレイ部に表示する動作を示す。
【０１０３】
図６Ａは、電子装置１００のホーム画面をタッチスクリーン１９０上に表示する動作を表す。アプリケーションを実行させるアイコンは、ホーム画面に表示することができる。例えば、ノートアプリケーションを実行させるアイコン６０２は、ホーム画面に表示することができる。制御部１１０は、アイコン６０２に対する選択を検出すると、ノートアプリケーションを実行させることができる。ここで、上記選択は、例えばノートアプリケーションを実行させるアイコン６０２は、このアイコン６０２に対するタッチ６０４により選択され得る。したがって、制御部１１０は、アイコン６０２に対するタッチ６０４を検出してノートアプリケーションを実行させることができる。図６Ｂは、ノートアプリケーションが実行される画面を示す。図６Ｂを参照すると、ノートアプリケーション上で入力領域６００は、ディスプレイ部１９０に表示することができる。制御部１１０は、ユーザーの入力手段による入力データを抽出できる。ここで、制御部１１０は、タッチスクリーンで形成されたディスプレイ部１９０に表示された入力領域６００でユーザーによるタッチを検出してユーザーの入力手段による入力データを抽出できる。例えば、制御部１１０は、入力領域６００に対する指又はペンのようなユーザー入力手段によるタッチを検出して入力データを抽出できる。そして、制御部１１０は、抽出された入力データを入力領域６００に同一に表示できる。また、制御部１１０は、抽出された入力データを格納部１７５に格納することができる。
【０１０４】
次に、ステップＳ１２０において、ホバリング入力機能が活性化されているか否かを判定する。制御部１１０は、電子装置１００でホバリング入力機能が活性化されているか否かを判定する。ホバリング入力機能は、電子装置１００で活性化されており、あるいは不活性化されていることもある。したがって、制御部１１０は、ホバリング入力機能が活性化されているか、不活性化されているかを判定する。また、制御部１１０は、ユーザーの選択を検出してホバリング入力機能を活性化又は不活性化することができる。また。制御部１１０は、所定の条件が満たされる場合に、ホバリング入力機能を自動で活性化又は不活性化させることができる。制御部１１０は、ホバリング入力機能が電子装置１００で活性化されていると判定された場合、本発明の一実施形態は、ステップＳ１３０に進行する。一方、制御部１１０は、ホバリング入力機能が電子装置１００で不活性化されていると判定された場合には、本発明の一実施形態は終了する。このとき、ホバリング入力機能は、電子装置から入力手段までのリアルタイム高さに対応するホバリング入力効果を入力領域に表示する機能を意味し、これについては以下に説明する。
【０１０５】
次に、ホバリング入力機能が活性化されている場合、ステップＳ１３０で、ホバリング位置と電子装置から入力手段までのリアルタイム高さが感知される。制御部１１０は、ステップＳ１２０で、ホバリング入力機能が活性化されていると判断した場合、入力手段のホバリング位置と電子装置から入力手段までのリアルタイム高さを感知する。
【０１０６】
電子装置１００のタッチスクリーン１９０は、図４に説明したように、表示パネル１９７、第１のタッチパネル１９８、及び第２のタッチパネル１９９を含む。表示パネル１９７は、電子装置１００の各種動作状態、アプリケーション実行、及びサービスなどによる多様な映像を表示する。
【０１０７】
第１のタッチパネル１９８は、図４で説明したように、静電容量方式タッチパネルに形成することができる。第１のタッチパネル１９８の表面に入力手段(例えば、ユーザーの指又はペン)がタッチされる場合、静電気により一定量の電荷がタッチされた位置に移動し、第１のタッチパネル１９８は、電荷の移動による電流の変化量を認識してタッチされた位置を感知できる。第１のタッチパネル１９８は、静電気を発生させるすべてのタッチの感知が可能であり、入力手段である指やペンによるタッチの感知が全部可能である。
【０１０８】
第２のタッチパネル１９９は、図４に説明したように、ＥＭＲ方式のタッチパネルに形成することができる。第２のタッチパネル１９９は、電磁誘導コイルセンサーと電磁信号処理部を含む。第２のタッチパネル１９９の近辺に共振回路とコイルを内蔵するタッチ用ペン２００が位置する場合、第２のタッチパネル１９９は、タッチ用ペン２００のホバリング位置、タッチ位置、及び電子装置１００からタッチ用ペン２００までの高さを感知できる。このとき、タッチ用ペン２００は、電磁気ペン又はＥＭＲペンとも称される。
【０１０９】
したがって、制御部１１０は、第１のタッチパネル１９８を通じてユーザーの指又はペンによるタッチを感知し、第２のタッチパネル１９９を通じてタッチ用ペン２００によるホバリング又はタッチを感知できる。すなわち、制御部１１０は、ユーザーの指やペンによるタッチとタッチ用ペン２００によるホバリング又はタッチを区別して感知できる。
【０１１０】
図７は、本発明の一実施形態によるホバリング入力効果を提供する電子装置が電子装置から入力手段までのリアルタイム高さを感知する動作を示す。
【０１１１】
図７を参照すると、電子装置１００とタッチ用ペン２００が示されている。電子装置１００の制御部１１０は、ホバリング位置と電子装置から入力手段までのリアルタイム高さを感知できる。ここで、ホバリング位置とは、タッチ用ペン２００のペン先２３０から電子装置１００のタッチスクリーンで形成されたディスプレイ部１９０まで垂直に降りてきた位置７００を意味する。また、電子装置から入力手段までのリアルタイム高さｈは、タッチ用ペン２００のペン先２３０から電子装置１００のタッチスクリーンで形成されたディスプレイ部１９０までの垂直長さを意味する。前記垂直の長さはディスプレイ部１９０とペン先２３０間の一番短い長さである。また、前記垂直の長さは平たいディスプレイ部 の表面に垂直する線の長さ、すなわち、前記位置７００でペン先２３０への延長腺に対応することにみなす。この場合、制御部１１０は、ＥＭＲ方式タッチパネルに形成された第２のタッチパネル１９９を通じて、共振回路とコイルを内蔵するタッチ用ペン２００とのホバリング位置７００と電子装置から入力手段までのリアルタイム高さｈを感知できる。
【０１１２】
次に、ステップＳ１４０で、ホバリング入力イベントが感知される。電子装置１００の制御部１１０は、ホバリング入力イベントを感知できる。ホバリング入力イベントは、タッチ用ペンに形成されたボタン押し、タッチ用ペンに対するタップ、タッチ用ペンが所定の速度より速い移動、アイコンに対するタッチのうちいずれか一つであり得る。
【０１１３】
例えば、入力手段は、図７に示すように、タッチ用ペン２００であり得る。タッチ用ペン２００は、ボタン２２０を含むことができる。電子装置１００の制御部１１０は、タッチ用ペン２００のボタン２２０の押しを感知できる。すなわち、制御部１１０は、タッチ用ペン２００に形成されたボタン２２０の押しに該当するホバリング入力イベントを感知できる。例えば、タッチ用ペン２００のボタン２２０が押さえられると、タッチ用ペン２００で発生する電磁気的信号が変更し、変更された電磁気的信号を電子装置１００の制御部１１０が感知し、制御部１１０は、タッチ用ペン２００に形成されたボタン２２０の押しを感知できる。このとき、変更された電磁気的信号は、例えば、タッチ用ペン２００に形成されたボタン２２０が押さえられる場合、タッチ用ペン２００に含まれたコイル２１０から発生する誘導磁界が変更されて生成され得る。電子装置１００の制御部１１０は、ＥＭＲ方式タッチパネルである第２のタッチパネル１９９を通じて変更された電磁気的信号を感知し、タッチ用ペン２００のボタン２２０の押しを感知できる。
【０１１４】
例えば、電子装置１００の制御部１１０は、タッチ用ペン２００に対するタップを感知できる。すなわち、制御部１１０は、タッチ用ペン２００に対するタップに該当するホバリング入力イベントを感知できる。例えば、タッチ用ペン２００に対するタップが発生する場合、タッチ用ペン２００で発生する電磁気的信号が変更される。制御部１１０は、変更された電磁気的信号を感知し、タッチ用ペン２００に対するタップを感知できる。このとき、変更された電磁気的信号は、例えばタッチ用ペン２００に対するタップが発生する場合、タッチ用ペン２００に含まれたコイル２１０で発生する誘導磁界が変更されて生成される電磁気的信号であり得る。電子装置１００の制御部１１０は、ＥＭＲ方式タッチパネルである第２のタッチパネル１９９を通じて変更された電磁気的信号を感知し、タッチ用ペン２００に対するタップを感知できる。又は、タッチ用ペン２００に対するタップが発生する場合、タッチ用ペン２００のペン先２３０とホバリング位置が反復的に所定の距離以内で所定の速度より大きく変わることができる。したがって、制御部１１０は、ホバリング位置が反復的に所定の距離以内で所定の速度より大きく変化される場合、タッチ用ペン２００に対するタップが発生すると感知することができる。
【０１１５】
例えば、電子装置１００の制御部１１０は、タッチ用ペンが所定の速度より速く移動することに該当するホバリング入力イベントを感知できる。例えば、タッチ用ペン２００が所定の速度より速く移動する場合、タッチ用ペン２００のホバリング位置も所定の速度より速く移動する。したがって、制御部１１０は、ＥＭＲ方式タッチパネルで形成された第２のタッチパネル１９９を通じて、共振回路とコイルを内蔵するタッチ用ペン２００が所定の速度より速く移動することに該当するホバリング入力イベントを感知できる。
【０１１６】
他の例として、電子装置１００の制御部１１０は、アイコンに対するタッチに該当するホバリング入力イベントを感知できる。制御部１１０は、タッチスクリーン１９０で指、ペン、又はタッチ用ペン２００のようなユーザー入力手段のタッチを検出できる。したがって、制御部１１０は、タッチスクリーン１９０に表示されたアイコンに対するタッチを検出してアイコンに対するタッチに該当するホバリング入力イベントを感知できる。
【０１１７】
次に、ホバリング入力イベントに対応する所定のホバリング入力効果は、ステップＳ１５０で、入力領域に表示される。制御部１１０は、ステップＳ１４０で感知されたホバリング入力イベントに対応するホバリング入力効果を入力領域に表示できる。ホバリング入力イベントに対応するホバリング入力効果は、予め設定することができる。例えば、タッチ用ペンに形成されたボタン押しであるホバリング入力イベントに対応するホバリング入力効果は、リアルタイム高さに対応して太さが変更される筆書き効果に予め設定することができる。予め設定されたホバリング入力効果は、ステップＳ１３０で感知されたリアルタイム高さに対応して入力領域に表示することができる。また、所定のホバリング入力効果は、ステップＳ１３０で感知されたホバリング位置の変化に対応して入力領域に表示することができる。所定のホバリング入力効果は、リアルタイム高さとホバリング位置の変化に対応して入力領域に表示することができる。すなわち、ホバリング入力効果は、リアルタイム高さに対応して太さが変更される筆書き効果、リアルタイム高さに対応して刻む程度が変更される彫刻刀効果、リアルタイム高さに対応してスプレーされる面積が変更されるスプレー効果、リアルタイム高さに対応して広がる面積が変更される水滴落下表示効果、リアルタイム高さに対応して広がる面積が変更されるインク染み効果、リアルタイム高さに対応してスプレーされる程度が変更されるまき散らし効果、及びリアルタイム高さに対応して表示されるスタンプ効果のうちいずれか一つであり得る。
【０１１８】
図８Ａ〜図９Ｂは、本発明の一実施形態によるホバリング入力効果を提供する電子装置がホバリング入力イベントに対応する所定のホバリング入力効果を入力領域に表示する動作を示す。例えば、ホバリング入力イベントは、タッチ用ペン２００に形成されたボタン２２０の押しである。ホバリング入力イベントインタッチ用ペン２００に形成されたボタン２２０の押しに対応する所定のホバリング入力効果は、リアルタイム高さに対応して太さが変更される筆書き取り効果であり得る。例えば、リアルタイム高さが低いほど太さが増加する筆書き効果であり得る。一方で、リアルタイム高さが高いほど太さが増加する筆書き効果でもある。
【０１１９】
図８Ａを参照すると、電子装置１００の制御部１１０は、タッチ用ペン２００に形成されたボタン２２０の押しに該当するホバリング入力イベントを検出できる。このとき、タッチ用ペン２００に形成されたボタン２２０の押しに該当するホバリング入力イベントに対応する所定のホバリング入力効果は、リアルタイム高さにより太さが変更される筆書き効果であり得る。したがって、制御部１１０は、リアルタイム高さにより太さが変更される筆書き効果をディスプレイ部１９０上の入力領域８００に表示できる。例えば、制御部１１０は、リアルタイム高さが低いほど太さが太くなる筆書き効果を入力領域に表示できる。
【０１２０】
図８Ａに示すように、制御部１１０は、タッチ用ペン２００のホバリング位置８１２と電子装置１００から入力手段８１０までのリアルタイム高さｈ１を感知できる。制御部１１０は、リアルタイム高さｈ１が低いほど太さが太くなる筆書き効果を入力領域８００に表示できる。図８Ｂを参照すると、制御部１１０は、タッチ用ペン２００のホバリング位置８２２と電子装置１００から入力手段８２０までのリアルタイム高さｈ２を感知できる。このとき、図８Ｂのリアルタイム高さｈ２が図８Ａのリアルタイム高さｈ１より低い。したがって、制御部１１０は、図８Ｂのようにリアルタイム高さｈ２が低くなることによって太さを増加させて筆書き効果８０２を入力領域８００に表示できる。図９Ａを参照すると、制御部１１０は、タッチ用ペン２００のホバリング位置９１２と電子装置から入力手段９１０までのリアルタイム高さｈ３を感知できる。このとき、図９Ａのリアルタイム高さｈ３が図８Ｂのリアルタイム高さｈ２より低い。したがって、制御部１１０は、図９Ａのようにリアルタイム高さｈ３が低くなることによって太さを増加させて筆書き効果９０２を入力領域９００に表示できる。図９Ｂを参照すると、制御部１１０は、タッチ用ペン２００のホバリング位置９２２と電子装置１００から入力手段９２０までのリアルタイム高さｈ４を感知できる。この場合、図９Ｂのリアルタイム高さｈ４は、図９Ａのリアルタイム高さｈ３より低い。したがって、制御部１１０は、図９Ｂのようにリアルタイム高さｈ４が低くなることによって太さを増加して筆書き効果９０４を入力領域９００に表示できる。
【０１２１】
図８Ａ〜図９Ｂに示すように、制御部１１０は、リアルタイム高さが低いほど太さが増加する筆書き効果を入力領域に表示できる。それによって、本発明の一実施形態によると、ホバリング入力イベントに対応する予め設定されたホバリング入力効果を入力領域に表示できる利点がある。すなわち、図８Ａ及び図９Ｂのように、本発明の一実施形態によれば、タッチ用ペンに形成されたボタン押しに対応して電子装置から入力手段までのリアルタイム高さが低いほど太さが太くなる筆書き効果を入力領域に表示できる利点がある。
【０１２２】
ホバリング入力イベントに対応する所定のホバリング入力効果を入力領域に表示する他の例を図１０Ａ〜図２1Ｃを参照して説明する。
【０１２３】
図１０Ａ、図１０Ｂ、図１１Ａ、及び図１１Ｂは、本発明の一実施形態により、リアルタイム高さに対応して刻む程度が変更される彫刻刀効果を入力領域に表示する動作を示す。
【０１２４】
ステップＳ１５０において、制御部１１０は、ステップＳ１４０で感知されたホバリング入力イベントに対応する所定のホバリング入力効果を入力領域に表示できる。例えば、図１０Ａ〜図１１Ｂのように、ホバリング入力イベントは、タッチ用ペン２００に形成されたボタン２２０の押しであり得る。ホバリング入力イベントインタッチ用ペン２００に形成されたボタン２２０の押しに対応する所定のホバリング入力効果は、リアルタイム高さに対応して刻む程度が変更される彫刻刀効果であり得る。例えば、リアルタイム高さが低いほど刻む程度が大きい彫刻刀効果であり得る。その反対に、リアルタイム高さが高いほど刻む程度が大きい彫刻刀効果であり得る。図１０Ａを参照すると、電子装置１００の制御部１１０は、タッチ用ペン２００に形成されたボタン２２０の押しに該当するホバリング入力イベントを検出できる。このとき、タッチ用ペン２００に形成されたボタン２２０の押しに該当するホバリング入力イベントに対応する所定のホバリング入力効果は、リアルタイム高さに対応して刻む程度が変更される彫刻刀効果であり得る。したがって、制御部１１０は、リアルタイム高さに対応して刻む程度が変更される彫刻刀効果をディスプレイ部１９０上の入力領域１０００に表示できる。例えば、制御部１１０は、リアルタイム高さが低いほど刻む程度が増加する彫刻刀効果を入力領域に表示できる。図１０Ａを参照すると、電子装置１００の入力領域１０００に球状の彫刻像１００１が表示されている。図１０Ｂを参照すると、制御部１１０は、タッチ用ペン２００のホバリング位置１０１２と電子装置から入力手段１０１０までのリアルタイム高さｈ１を感知できる。制御部１１０は、リアルタイム高さｈ１が低いほど刻む程度が大きい彫刻刀効果１００２を入力領域１０００に表示できる。図１１Ａを参照すると、制御部１１０は、タッチ用ペン２００のホバリング位置１０２２と電子装置から入力手段１０２０までのリアルタイム高さｈ２を感知できる。このとき、図１１Ａのリアルタイム高さｈ２が図１０Ｂのリアルタイム高さｈ１より低い。したがって、制御部１１０は、図１１Ａのようにリアルタイム高さｈ２が低くなることによって刻む程度を大きくして彫刻刀効果１００４を入力領域１０００に表示できる。次に、図１１Ｂを参照すれば、制御部１１０は、タッチ用ペン２００のホバリング位置１０３２と電子装置から入力手段１０３０までのリアルタイム高さｈ３を感知できる。このとき、図１１Ｂのリアルタイム高さｈ３が図１１Ａのリアルタイム高さｈ２より低い。したがって、制御部１１０は、図１１Ｂのようにリアルタイム高さｈ３が低くなることによって刻む程度を大きくして彫刻刀効果１００６を入力領域１０００に表示できる。すなわち、図１０Ａ〜図１１Ｂに説明したように、制御部１１０は、リアルタイム高さが低いほど刻む程度が大きい彫刻刀効果を入力領域に表示できる。したがって、本発明の一実施形態によると、タッチ用ペンに形成されたボタン押しに対応して電子装置から入力手段までのリアルタイム高さが低いほど刻む程度が大きい彫刻刀効果を入力領域に表示できる利点がある。
【０１２５】
図１２Ａ〜図１３Ｂは、本発明の一実施形態により、リアルタイム高さに対応してスプレーされる面積が変更されるスプレー効果を入力領域に表示する動作を示す。
【０１２６】
ステップＳ１５０において、制御部１１０は、ステップＳ１４０で感知されたホバリング入力イベントに対応する所定のホバリング入力効果を入力領域に表示できる。例えば、図１２Ａ〜図１３Ｂに示すように、ホバリング入力イベントは、タッチ用ペン２００に形成されたボタン２２０の押しであり得る。ホバリング入力イベントであるタッチ用ペン２００に形成されたボタン２２０の押しに対応する所定のホバリング入力効果は、リアルタイム高さに対応してスプレーされる面積が変更されるスプレー効果であり得る。例えば、リアルタイム高さが低いほどスプレーされる面積が小さいスプレー効果であり得る。一方で、リアルタイム高さが高いほどスプレーされる面積が小さいスプレー効果でもある。図１２Ａを参照すると、電子装置１００の制御部１１０は、タッチ用ペン２００のボタン２２０の押しに該当するホバリング入力イベントを検出できる。このとき、タッチ用ペン２００に形成されたボタン２２０の押しに該当するホバリング入力イベントに対応する所定のホバリング入力効果は、リアルタイム高さに対応してスプレーされる面積が変更されるスプレー効果であり得る。したがって、制御部１１０は、リアルタイム高さに対応してスプレーされる面積が変更されるスプレー効果をディスプレイ部１９０上の入力領域１２００に表示できる。例えば、制御部１１０は、リアルタイム高さが低いほどスプレーされる面積が小さいスプレー効果を入力領域に表示できる。図１２Ａにおいて、電子装置１００の入力領域１２００が表示されている。このとき、図１２Ｂを参照すると、制御部１１０は、タッチ用ペン２００のホバリング位置１２１２と電子装置１００から入力手段１２１０までのリアルタイム高さｈ１を感知できる。制御部１１０は、リアルタイム高さｈ１が低いほどスプレーされる面積が小さいスプレー効果１２０２を入力領域１２００に表示できる。図１３Ａを参照すると、制御部１１０は、タッチ用ペン２００のホバリング位置１２２２と電子装置から入力手段１２２０までのリアルタイム高さｈ２を感知できる。このとき、図１３Ａのリアルタイム高さｈ２は、図１２Ｂのリアルタイム高さｈ１より低い。したがって、制御部１１０は、図１３Ａのようにリアルタイム高さｈ２が低くなることによってスプレーされる面積を小さくしてスプレー効果１２０４を入力領域１２００に表示できる。次に、図１３Ｂを参照すると、制御部１１０は、タッチ用ペン２００のホバリング位置１２３２と電子装置から入力手段１２３０までのリアルタイム高さｈ３を感知できる。このとき、図１３Ｂのリアルタイム高さｈ３が図１３Ａのリアルタイム高さｈ２より低い。したがって、制御部１１０は、図１３Ｂのようにリアルタイム高さｈ３が低くなることによってスプレーされる程度を小さくしてスプレー効果１２０６を入力領域１２００に表示できる。すなわち、図１２Ａ〜図１３Ｂに示すように、制御部１１０は、リアルタイム高さが低いほどスプレーされる程度が小さいスプレー効果を入力領域に表示できる。したがって、本発明の一実施形態によると、タッチ用ペンに形成されたボタン押しに対応して電子装置から入力手段までのリアルタイム高さが低いほどスプレーされる程度が小さいスプレー効果を入力領域に表示できる利点がある。
【０１２７】
図１４Ａ及び図１５Ｂは、本発明の一実施形態により、リアルタイム高さに対応して広がる面積が変更される水滴落下表示効果を入力領域に表示する動作を示す。
【０１２８】
ステップＳ１５０において、制御部１１０は、ステップＳ１４０で感知されたホバリング入力イベントに対応する所定のホバリング入力効果を入力領域に表示できる。例えば、図１４Ａ〜図１５Ｂに示すように、ホバリング入力イベントは、タッチ用ペン２００に対するタップであり得る。ホバリング入力イベントであるタッチ用ペン２００に対するタップに対応する所定のホバリング入力効果は、リアルタイム高さにより広がる面積が変更される水滴落下表示効果であり得る。例えば、リアルタイム高さが低いほど広がる面積は、小さい水滴落下表示効果であり得る。一方、リアルタイム高さが高いほど広がる面積は、小さい水滴落下表示効果でもある。図１４Ａを参照すると、電子装置１００の制御部１１０は、タッチ用ペン２００に対するタップに該当するホバリング入力イベントを検出できる。このとき、タッチ用ペン２００に対するタップに該当するホバリング入力イベントに対応する所定のホバリング入力効果は、リアルタイム高さに対応して広がる面積が変更される水滴落下表示効果であり得る。したがって、制御部１１０は、リアルタイム高さにより広がる面積が変更される水滴落下表示効果をディスプレイ部１９０上の入力領域１４００に表示できる。例えば、制御部１１０は、リアルタイム高さが低いほど広がる面積が小さい水滴落下表示効果を入力領域に表示できる。図１４Ａを参照すると、電子装置１００の入力領域１４００が表示されている。この場合、図１４Ｂのように、制御部１１０は、タッチ用ペン２００のホバリング位置１４１２と電子装置から入力手段１４１０までのリアルタイム高さｈ１を感知できる。そして、制御部１１０は、リアルタイム高さｈ１が低いほど広がる面積が小さい水滴落下表示効果１４０２を入力領域１４００に表示できる。図１５Ａを参照すると、制御部１１０は、タッチ用ペン２００のホバリング位置１４２２と電子装置から入力手段１４２０までのリアルタイム高さｈ２を感知できる。図１５Ａのリアルタイム高さｈ２が図１５Ｂのリアルタイム高さｈ１より低い。したがって、制御部１１０は、図１５Ａのようにリアルタイム高さｈ２が低くなることによって広がる面積を小さくして水滴落下表示効果１４０４を入力領域１４００に表示できる。次に、図１５Ｂを参照すると、制御部１１０は、タッチ用ペン２００のホバリング位置１４３２と電子装置から入力手段１４３０までのリアルタイム高さｈ３を感知できる。このとき、図１５Ｂのリアルタイム高さｈ３は、図１５Ａのリアルタイム高さｈ２より低い。したがって、制御部１１０は、図１５Ｂのようにリアルタイム高さｈ３が低くなることによってスプレーされる程度を小さくして水滴落下表示効果１４０６を入力領域１４００に表示できる。すなわち、図１４Ａ〜図１５Ｂで説明したように、制御部１１０は、リアルタイム高さが低いほど広がる程度が小さい水滴落下表示効果を入力領域に表示できる。したがって、本発明の一実施形態によると、タッチ用ペンのタップに対応して電子装置から入力手段までのリアルタイム高さが低いほど広がる程度が小さい水滴落下表示効果を入力領域に表示できる利点がある。
【０１２９】
図１６Ａ及び図１６Ｂは、本発明の一実施形態により、リアルタイム高さに対応して跳ねる面積が変更される水滴落下表示効果を入力領域に表示する動作を示す。
【０１３０】
上述したステップＳ１５０において、制御部１１０は、ステップＳ１４０で感知されたホバリング入力イベントに対応する所定のホバリング入力効果を入力領域に表示できる。例えば、図１６Ａ及び図１６Ｂに示すように、ホバリング入力イベントは、タッチ用ペン２００に対するタップであり得る。ホバリング入力イベントであるタッチ用ペン２００に対するタップに対応する所定のホバリング入力効果は、リアルタイム高さに対応して跳ねる面積が変更される水滴落下表示効果であり得る。例えば、リアルタイム高さが低いほど跳ねる面積が小さい水滴落下表示効果であり得る。一方、リアルタイム高さが高いほど跳ねる面積が小さな水滴落下表示効果でもある。図１６Ａを参照すれば、電子装置１００の制御部１１０は、タッチ用ペン２００に対するタップに該当するホバリング入力イベントを検出できる。このとき、タッチ用ペン２００に対するタップに該当するホバリング入力イベントに対応する所定のホバリング入力効果は、リアルタイム高さに対応して跳ねる面積が変更される水滴落下表示効果であり得る。したがって、制御部１１０は、リアルタイム高さにより跳ねる面積が変更される水滴落下表示効果をディスプレイ部１９０上の入力領域１６００に表示できる。例えば、制御部１１０は、リアルタイム高さが低いほど跳ねる面積が小さい水滴落下表示効果を入力領域に表示できる。図１６Ａを参照すると、入力領域１６００は、電子装置１００に表示されている。このとき、制御部１１０は、タッチ用ペン２００のホバリング位置１６１２と電子装置から入力手段１６１０までのリアルタイム高さｈ１を感知できる。制御部１１０は、リアルタイム高さｈ１が低いほど跳ねる面積が小さい水滴落下表示効果１６０２を入力領域１６００に表示できる。図１６Ｂを参照すれば、制御部１１０は、タッチ用ペン２００のホバリング位置１６２２と電子装置から入力手段１６２０までのリアルタイム高さｈ２を感知できる。この場合、図１６Ｂのリアルタイム高さｈ２は、図１６Ａのリアルタイム高さｈ１より高い。したがって、制御部１１０は、図１６Ｂのようにリアルタイム高さｈ２が高まることによって跳ねる面積を大きくして水滴落下表示効果１６０４を入力領域１６００に表示できる。すなわち、図１６Ａ及び図１６Ｂからわかるように、制御部１１０は、リアルタイム高さが低いほど跳ねる程度が小さい水滴落下表示効果を入力領域に表示できる。したがって、本発明の一実施形態によると、タッチ用ペンのタップに対応して電子装置から入力手段までのリアルタイム高さが低いほど跳ねる程度が小さな水滴落下表示効果を入力領域に表示できる利点がある。
【０１３１】
図１７Ａ及び図１７Ｂは、本発明の一実施形態により、リアルタイム高さに対応して広がる面積が変更されるインク染み効果を入力領域に表示する動作を示す。
【０１３２】
詳述したステップＳ１５０で、制御部１１０は、ステップＳ１４０で感知されたホバリング入力イベントに対応する所定のホバリング入力効果を入力領域に表示できる。例えば、図１７Ａ及び図１７Ｂのように、ホバリング入力イベントは、タッチ用ペン２００に形成されたボタン２２０の押しであり得る。ホバリング入力イベントであるタッチ用ペン２００に対するタップに対応する予め設定されたホバリング入力効果は、リアルタイム高さに対応して広がる面積が変更されるインク染み効果であり得る。例えば、リアルタイム高さが低いほど広がる面積が小さいインク染み効果であり得る。反対に、リアルタイム高さが高いほど広がる面積が小さいインク染み効果でもある。図１７Ａを参照すれば、電子装置１００の制御部１１０は、タッチ用ペン２００のボタン２２０の押しに該当するホバリング入力イベントを検出できる。このとき、タッチ用ペン２００に形成されたボタン２２０の押しに該当するホバリング入力イベントに対応する所定のホバリング入力効果は、リアルタイム高さに対応して広がる面積が変更されるインク染み効果であり得る。したがって、制御部１１０は、リアルタイム高さに対応して広がる面積が変更されるインク染み効果をディスプレイ部１９０上の入力領域１７００に表示できる。例えば、制御部１１０は、リアルタイム高さが低いほど広がる面積が小さいインク染み効果を入力領域に表示できる。図１７Ａを参照すれば、電子装置１００の入力領域１７００が表示されている。このとき、制御部１１０は、タッチ用ペン２００のホバリング位置１７１２と電子装置１００から入力手段１７１０までのリアルタイム高さｈ１を感知できる。制御部１１０は、リアルタイム高さｈ１が低いほど広がる面積が小さいインク染み効果１７０２を入力領域１７００に表示できる。図１７Ｂを参照すれば、制御部１１０は、タッチ用ペン２００のホバリング位置１７２２と電子装置から入力手段１７２０までのリアルタイム高さｈ２を感知できる。このとき、図１７Ｂのリアルタイム高さｈ２は、図１７Ａのリアルタイム高さｈ１より高い。したがって、制御部１１０は、図１７Ｂのようにリアルタイム高さｈ２が高まることによって広がる面積を大きくしてインク染み効果１７０４を入力領域１７００に表示できる。すなわち、図１７Ａ及び図１７Ｂに示すように、制御部１１０は、リアルタイム高さが低いほど広がる程度が小さいインク染み効果を入力領域に表示できる。したがって、本発明の一実施形態によると、タッチ用ペンに形成されたボタン押しに対応して電子装置から入力手段までのリアルタイム高さが低いほど広がる程度が小さいインク染み効果を入力領域に表示できる利点がある。
【０１３３】
図１８Ａ〜図１９Ｂは、本発明の一実施形態により、リアルタイム高さに対応してスプレーされる程度が変更されるまき散らし効果を入力領域に表示する動作を示す。
【０１３４】
上記したステップＳ１５０において、制御部１１０は、ステップＳ１４０で感知されたホバリング入力イベントに対応する所定のホバリング入力効果を入力領域に表示できる。例えば、図１８Ａ〜図１９Ｂに示すように、ホバリング入力イベントは、タッチ用ペン２００に形成されたボタン２２０の押しであり得る。ホバリング入力イベントであるタッチ用ペン２００に形成されたボタン２２０の押しに対応する予め設定されたホバリング入力効果は、リアルタイム高さに対応してスプレーされる程度が変更されるまき散らし効果であり得る。例えば、リアルタイム高さが低いほどスプレーされる程度が小さいまき散らし効果であり得る。一方、リアルタイム高さが高いほどスプレーされる程度が大きいまき散らし効果でもある。図１８Ａには、リアルタイム高さが低いほどスプレーされる程度が小さいまき散らし効果を入力領域に表示する例が示されている一方で、リアルタイム高さが高いほどスプレーされる程度が小さいまき散らし効果を入力領域に表示することができる。図１８Ａを参照すると、電子装置１００の制御部１１０は、タッチ用ペン２００に形成されたボタン２２０の押しに該当するホバリング入力イベントを検出できる。この場合、タッチ用ペン２００に形成されたボタン２２０の押しに該当するホバリング入力イベントに対応する所定のホバリング入力効果は、リアルタイム高さによりスプレーされる程度が変更されるまき散らし効果であり得る。したがって、制御部１１０は、リアルタイム高さによりスプレーされる程度が変更されるまき散らし効果をディスプレイ部１９０上の入力領域１８００に表示できる。例えば、図１８Ａのように、制御部１１０は、リアルタイム高さが低いほどスプレーされる程度が小さいまき散らし効果を入力領域に表示できる。制御部１１０は、タッチ用ペン２００のホバリング位置１８１２と電子装置から入力手段１８１０までのリアルタイム高さｈ１を感知できる。また、制御部１１０は、タッチ用ペン２００の移動によるホバリング位置の移動を感知できる。図１８Ａに示すように、タッチ用ペン２００の移動に従って、第１のホバリング位置１８１２が第２のホバリング位置１８２２に移動したことを感知できる。このとき、制御部１１０は、図１８Ｂのように、リアルタイム高さｈ１に対応してホバリング位置の移動に従ってまき散らし効果１８０２を入力領域に表示できる。制御部１１０は、リアルタイム高さが低いほどスプレーされる程度が小さいまき散らし効果を入力領域に表示できる。図１９Ａを参照すると、制御部１１０は、タッチ用ペン２００のホバリング位置１８３２と電子装置から入力手段１８３０までのリアルタイム高さｈ２を感知できる。このとき、図１９Ａのリアルタイム高さｈ２が図１８Ａのリアルタイム高さｈ１より高い。したがって、制御部１１０は、図１９Ａに示すように、リアルタイム高さｈ２が高まることによってスプレーされる程度を大きくしてまき散らし効果１８０４を入力領域１８００に表示できる。すなわち、制御部１１０は、タッチ用ペン２００のホバリング位置１８３２と電子装置から入力手段１８３０までのリアルタイム高さｈ２を感知できる。また、制御部１１０は、タッチ用ペン２００の移動によるホバリング位置の移動を感知できる。図１９Ａのように、タッチ用ペン２００の移動によって、第１のホバリング位置１８３２が第２のホバリング位置１８４２に移動することを感知できる。この場合、図１９Ａのリアルタイム高さｈ２が図１８Ａのリアルタイム高さｈ１より高い。したがって、制御部１１０は、図１９Ｂのようにリアルタイム高さｈ２が高まることによってスプレーされる程度を大きくしてまき散らし効果１８０４を入力領域１８００に表示できる。したがって、図１８Ａ〜図１９Ｂで説明したように、制御部１１０は、リアルタイム高さが低いほどスプレーされる程度が小さいまき散らし効果を入力領域に表示できる。したがって、本発明の一実施形態によると、タッチ用ペンに形成されたボタン押しに対応して電子装置から入力手段までのリアルタイム高さが低いほどスプレーされる程度が小さいまき散らし効果を入力領域に表示できる利点がある。
【０１３５】
図２０Ａ〜図２１Ｃは、本発明の一実施形態により、リアルタイム高さに対応して表示されるスタンプ効果を入力領域に表示する動作を示す。例えば、ホバリング入力イベントは、アイコンに対するタッチであり得る。アイコンは、予め定められることができ、タッチスクリーン１９０上に表示することができる。例えば、図２０Ａに示すように、アイコンは、‘ＳＴＡＭＰ’に予め決定され、アイコン２００１は、タッチスクリーン１９０上に表示することができる。ホバリング入力イベントである‘ＳＴＡＭＰ’アイコン２００１に対するタッチに対応する予め設定されたホバリング入力効果は、リアルタイム高さにより表示されるスタンプ効果であり得る。例えば、リアルタイム高さが低いほどサイズが小さくなるスタンプ効果である。反対に、リアルタイム高さが高いほどサイズが小さくなるスタンプ効果でもある。図２０Ａ〜図２１Ｃは、リアルタイム高さが低いほどサイズが小さくなるスタンプ効果を入力領域に表示する例を示すが、その反対にリアルタイム高さが高いほどサイズが小さくなるスタンプ効果を入力領域に表示することもできる。図２０Ａを参照すると、電子装置１００の制御部１１０は、‘ＳＴＡＭＰ’アイコン２００１に対するタッチに該当するホバリング入力イベントを検出できる。このとき、‘ＳＴＡＭＰ’アイコン２００１に対するタッチに該当するホバリング入力イベントに対応する所定のホバリング入力効果は、リアルタイム高さに対応して表示されるスタンプ効果であり得る。スタンプ効果は、入力領域にスタンプを押す表示を意味する。したがって、制御部１１０は、リアルタイム高さに対応して表示されるスタンプ効果をディスプレイ部１９０上の入力領域２０００に表示できる。例えば、制御部１１０は、リアルタイム高さが低いほどサイズが小さくなるスタンプ効果を入力領域に表示できる。すなわち、図２０Ｂに示すように、制御部１１０は、タッチ用ペン２００のホバリング位置２０１２と電子装置から入力手段２０１０までのリアルタイム高さｈ１を感知できる。制御部１１０は、リアルタイム高さｈ１が低いほどサイズが小さくなるスタンプ効果２００を入力領域２００に表示できる。図２１Ａを参照すると、制御部１１０は、タッチ用ペン２００のホバリング位置２０１２と電子装置から入力手段２０１０までのリアルタイム高さｈ２を感知できる。このとき、図２１Ａのリアルタイム高さｈ２が図２０Ｂのリアルタイム高さｈ１より低い。したがって、制御部１１０は、図２１Ａのようにリアルタイム高さｈ２が低くなることによってサイズを小さくしてスタンプ効果２００２を入力領域２０００に表示できる。次に、図２１Ｂを参照すれば、制御部１１０は、タッチ用ペン２００のホバリング位置２０２２と電子装置から入力手段２０２０までのリアルタイム高さｈ３を感知できる。このとき、図２１Ｂのリアルタイム高さｈ３は、図２１Ａのリアルタイム高さｈ２より低い。したがって、制御部１１０は、図２１Ｂに示すように、リアルタイム高さｈ３が低くなることによってサイズを小さくしてスタンプ効果２００４を入力領域２０００に表示できる。引続き、図２１Ｃを参照すると、制御部１１０は、電子装置１００のディスプレイ部１９０でタッチ用ペン２００のタッチを感知できる。すなわち、制御部１１０は、電子装置１００のディスプレイ部１９０でタッチ用ペン２００のタッチを感知できる。このように、タッチ用ペン２００が電子装置１００のディスプレイ部１９０に触れてタッチした状態は、タッチ用ペン２００が電子装置１００のディスプレイ部１９０に触れずにホバリングされた状態とは区別される。図２１Ｃにおいて、電子装置から入力手段までのリアルタイム高さが０であるため、図２１Ｃのリアルタイム高さは、図２１Ｂのリアルタイム高さｈ３より低い。したがって、制御部１１０は、図２１Ｃのようにリアルタイム高さが低くなることによってサイズを小さくしてスタンプ効果２００６を入力領域２０００に表示できる。このとき、制御部１１０は、タッチ用ペン２００が電子装置１００のディスプレイ部１９０にタッチされる前にはスタンプ効果を図２０Ｂ、図２１Ａ、図２１Ｂのように点線で表示し、タッチ用ペン２００が電子装置１００のディスプレイ部１９０にタッチされてスタンプが押されたことを表現するために、図２１Ｃのようにスタンプ効果２００６を実線で表示することができる。したがって、本発明の一実施形態によれば、ホバリング入力イベントに対応する所定のホバリング入力効果を入力領域に表示できる。すなわち、図２０Ａ〜図２１Ｃに示すように、本発明の一実施形態によれば、アイコンに対するタッチに対応して電子装置から入力手段までのリアルタイム高さが低いほどサイズが小さくなるスタンプ効果を入力領域に表示できる。
【０１３６】
図２２は、本発明の他の実施形態によるホバリング入力効果を提供する電子装置制御方法を示すフローチャートである。図２３Ａ〜図２３Ｃは、本発明の他の実施形態によるホバリング入力効果を提供する電子装置が選択された入力効果がホバリング入力機能をサポートするか否かを判定し、ホバリング入力イベントとリアルタイム高さに対応するホバリング入力効果を入力領域に表示する動作を示す。
【０１３７】
図２２に示す本発明の他の実施形態のステップＳ２１０〜Ｓ２５０は、ステップＳ２１２及びＳ２１４を除き、図５で説明したステップＳ１１０〜Ｓ１５０と同一である。したがって、図５で説明されたステップと同一のステップについて簡潔に説明する。  
【０１３８】
図２２を参照すると、本発明の他の実施形態によるホバリング入力効果を提供する電子装置制御方法は、まず、ステップＳ２１０で、入力モードに進入して入力領域を電子装置のディスプレイ部に表示する。電子装置１００の制御部１１０は、電子装置１００を入力モードに進入させる。図２３Ａは、本発明の他の実施形態によるホバリング入力効果を提供する電子装置が入力モードに進入して入力領域をディスプレイ部に表示する動作を示す。
【０１３９】
図２３Ａを参照すると、ノートアプリケーションが実行されて電子装置１００が入力モードに進入して入力領域２３００をディスプレイ部１９０に表示する。制御部１１０は、指又はペンのようなユーザー入力手段により入力領域２３００に入力された入力データを抽出し、入力データをディスプレイ部１９０に表示し、あるいは格納部１７５に格納することができる。
【０１４０】
次に、ステップＳ２１２において、入力効果に対する選択が検出される。制御部１１０は、入力効果に対する選択を検出できる。入力効果は、入力領域に表示される多様な方式による効果を意味する。例えば、入力効果は、ペン書き効果、筆書き効果、及びスプレー効果であり得る。したがって、制御部１１０は、入力効果のうち一つの入力効果に対する選択を検出できる。例えば、入力効果がアイコンでタッチスクリーン１９０に表示される場合、制御部１１０は、アイコンに対するタッチを感知して入力効果が選択されることを検出できる。例えば、図２３Ａを参照すると、タッチスクリーン１９０上にペン書き効果に対応するアイコン２３６０と筆書き効果に対応するアイコン２３５０を表示することができる。制御部１１０は、アイコン２３５０，２３６０に対するタッチを感知して入力効果が選択されたことを検出できる。
【０１４１】
次に、ステップＳ２１４において、選択された入力効果がホバリング入力機能をサポートするか否かを判定する。すなわち、制御部１１０は、ステップＳ２１２で、選択された入力効果がホバリング入力機能をサポートするか否かを判定することができる。入力効果は、ホバリング入力機能をサポートし、あるいはサポートしないことがある。入力効果がホバリング入力機能をサポートするか否かは予め格納部１７５に格納することができる。例えば、入力効果に該当するペン書き効果と筆書き効果の中で、筆書き効果のみがホバリング入力機能をサポートできる。このとき、制御部１１０は、ステップＳ２１２で選択された入力効果がホバリング入力機能をサポートする筆書き効果であるか否かを判定することができる。例えば、図２３Ａのように、筆書き効果に対応するアイコン２３５０に対するタッチが検出される場合、制御部１１０は、選択された筆書き効果がホバリング入力機能をサポートすると確認することができる。制御部１１０は、入力効果がホバリング入力機能をサポートする場合には、本発明の他の実施形態を次のステップであるＳ２２０に進行し、入力効果がホバリング入力機能をサポートしない場合には本発明の他の実施形態を終了する。
【０１４２】
ステップＳ２２０において、ホバリング入力機能が活性化されているか否かを判定する。制御部１１０は、電子装置１００でホバリング入力機能が活性化されているか否かを判定する。制御部１１０は、電子装置１００でホバリング入力機能が活性化又は不活性化されることがある。したがって、制御部１１０は、ホバリング入力機能が活性化されているか、あるいは不活性化されているかを確認できる。制御部１１０は、ホバリング入力機能が電子装置１００で活性化されていると判定される場合、本発明の他の実施形態はステップＳ２３０に進行する。制御部１１０は、ホバリング入力機能が電子装置１００で不活性化されていると判定される場合、本発明の他の実施形態は終了する。
【０１４３】
ホバリング入力機能が活性化される場合、ステップＳ２３０で、ホバリング位置と電子装置から入力手段までのリアルタイム高さが感知される。制御部１１０は、ステップＳ２２０でホバリング入力機能が活性がされていると判断した場合、ホバリング位置と電子装置から入力手段までのリアルタイム高さを感知する。
【０１４４】
次に、ステップＳ２４０において、ホバリング入力イベントが感知される。電子装置１００の制御部１１０は、ホバリング入力イベントを感知できる。ホバリング入力イベントは、タッチ用ペンに形成されたボタン押し、タッチ用ペンに対するタップ、タッチ用ペンが所定の速度より速い移動、及びアイコンに対するタッチのうちいずれか一つであり得る。例えば、入力手段は、図２３Ｂに示すように、タッチ用ペン２００であり得る。タッチ用ペン２００は、ボタン２２０を含むことができる。電子装置１００の制御部１１０は、タッチ用ペン２００のボタン２２０の押しを感知できる。すなわち、制御部１１０は、タッチ用ペン２００に形成されたボタン２２０の押しに該当するホバリング入力イベントを感知できる。
【０１４５】
ステップＳ２５０において、ホバリング入力イベントに対応する所定のホバリング入力効果が入力領域に表示される。制御部１１０は、ステップＳ２４０で、感知されたホバリング入力イベントに対応するホバリング入力効果を入力領域に表示できる。ホバリング入力イベントに対応するホバリング入力効果は、予め定められることができる。例えば、タッチ用ペンに形成されたボタン押しであるホバリング入力イベントに対応するホバリング入力効果は、リアルタイム高さに従って太さが変更される筆書き効果に予め設定することができる。予め設定されたホバリング入力効果は、ステップＳ２３０で感知されたリアルタイム高さに対応して入力領域に表示することができる。また、予め設定されたホバリング入力効果は、ステップＳ２３０で感知されたホバリング位置の変化に対応して入力領域に表示することができる。予め設定されたホバリング入力効果は、リアルタイム高さとホバリング位置の変化に対応して入力領域に表示することができる。例えば、ホバリング入力イベントは、タッチ用ペン２００に形成されたボタン２２０の押しであり得る。ホバリング入力イベントであるタッチ用ペン２００に形成されたボタン２２０の押しに対応する予め設定されたホバリング入力効果は、リアルタイム高さに対応して太さが変更される筆書き効果であり得る。例えば、リアルタイム高さが低いほど太さが太くなる筆書き効果であり得る。一方で、リアルタイム高さが高いほど太さが太くなる筆書き効果でもある。図２３Ｂを参照すると、電子装置１００の制御部１１０は、タッチ用ペン２００に形成されたボタン２２０の押しに該当するホバリング入力イベントを検出できる。この場合、タッチ用ペン２００に形成されたボタン２２０の押しに該当するホバリング入力イベントに対応する所定のホバリング入力効果は、リアルタイム高さに対応して太さが変更される筆書き効果であり得る。したがって、制御部１１０は、リアルタイム高さに対応して太さが変更される筆書き効果をディスプレイ部１９０上の入力領域２３００に表示できる。例えば、制御部１１０は、リアルタイム高さが低いほど太さが太くなる筆書き効果を入力領域に表示できる。すなわち、図２３Ｂに示すように、制御部１１０は、タッチ用ペン２００のホバリング位置２３１２と電子装置から入力手段２３１０までのリアルタイム高さｈ１を感知できる。制御部１１０は、リアルタイム高さｈ１が低いほど太さが太くなる筆書き効果を入力領域２３００に表示できる。
【０１４６】
図２３Ｃを参照すると、制御部１１０は、タッチ用ペン２００のホバリング位置２３２２と電子装置から入力手段２３２０までのリアルタイム高さｈ２を感知できる。この場合、図２３Ｃのリアルタイム高さｈ２が図２３Ｂのリアルタイム高さｈ１より低い。したがって、制御部１１０は、図２３Ｃのようにリアルタイム高さｈ２が低くなることによって太さを太くして筆書き効果２３０２を入力領域２３００に表示できる。すなわち、図２３Ｂ〜図２３Ｃに示すように、制御部１１０は、リアルタイム高さが低いほど太さが太くなる筆書き効果を入力領域に表示できる。
【０１４７】
したがって、本発明の他の実施形態によると、ステップＳ２１２〜Ｓ２１４で選択された入力効果がホバリング入力機能をサポートするか否かを判定し、選択された入力効果がホバリング入力機能をサポートする場合、ホバリング入力イベントとリアルタイム高さに対応するホバリング入力効果を入力領域に表示できる利点がある。すなわち、本発明の他の実施形態によれば、選択された入力効果がホバリング入力機能をサポートするか否かを判定し、ホバリング入力イベントとリアルタイム高さに対応するホバリング入力効果を入力領域に表示できる利点がある。
【０１４８】
図２４は、本発明の他の実施形態によるホバリング入力効果を提供する電子装置制御方法を示すフローチャートである。そして、図２５Ａ〜図２６Ｂは、本発明の一実施形態によるホバリング入力効果を提供する電子装置がホバリングポインタをディスプレイ部上に表示し、ホバリング入力イベントとリアルタイム高さに対応するホバリング入力効果を入力領域に表示する動作を示す。
【０１４９】
図２４で説明される本発明の他の実施形態のステップＳ３１０〜Ｓ３５０は、図５で説明された本発明の一実施形態のステップＳ１１０〜Ｓ１５０と、Ｓ３３２を除いては同一である。したがって、図５で説明されたステップと同一のステップについて、簡単に説明する。
【０１５０】
図２４を参照すると、本発明の他の実施形態によるホバリング入力効果を提供する電子装置制御方法は、まず、ステップＳ３１０で、入力モードに進入して入力領域を電子装置のディスプレイ部に表示する。電子装置１００の制御部１１０は、電子装置１００を入力モードに進入させる。
【０１５１】
図２５Ａは、本発明の他の実施形態によるホバリング入力効果を提供する電子装置が入力モードに進入して入力領域をディスプレイ部に表示する動作を示す。
【０１５２】
図２５Ａを参照すると、ノートアプリケーションが実行されて電子装置１００が入力モードに進入して入力領域２５００をディスプレイ部１９０に表示する。この場合、制御部１１０は、指やペンのようなユーザー入力手段により入力領域２５００に入力された入力データを抽出し、この入力データをディスプレイ部１９０に表示し、あるいは格納部１７５に格納させることができる。
【０１５３】
次に、ステップＳ３２０で、ホバリング入力機能が活性化されているか否かを判定する。制御部１１０は、電子装置１００でホバリング入力機能が活性化されているか否かを判定する。電子装置１００で、ホバリング入力機能は、活性化状態であり、あるいは不活性化状態であり得る。したがって、制御部１１０は、ホバリング入力機能が活性化されているか、あるいは不活性化されているかを確認できる。制御部１１０は、ホバリング入力機能が電子装置１００で活性化されていると確認した場合には、本発明の他の実施形態はステップＳ３３０に進行する。しかしながら、制御部１１０は、ホバリング入力機能が電子装置１００で不活性化されていると確認した場合には、本発明の他の実施形態は終了する。
【０１５４】
次に、ホバリング入力機能が活性化されている場合、ステップＳ３３０で、ホバリング位置と電子装置から入力手段までのリアルタイム高さを感知する。制御部１１０は、ステップＳ３２０で、ホバリング入力機能が活性化されていると判断した場合、ホバリング位置と電子装置から入力手段までのリアルタイム高さを感知する。
【０１５５】
次に、ステップＳ３３２で、ホバリングポインタをディスプレイ部上に表示する。制御部１１０は、ホバリングポインタをディスプレイ部上に表示できる。ホバリングポインタは、ステップＳ３３０で感知されたホバリング位置に表示することができる。例えば、図２５Ｂに示すように、制御部１１０は、ホバリング位置にホバリングポインタ２５１２を表示できる。制御部１１０は、入力手段の移動に従ってホバリング位置が変更されると、ホバリングポインタの位置も変更して表示できる。例えば、図２５Ｃのように、入力手段２００の移動によって第１のホバリング位置２５１２が第２のホバリング位置２５２２に変更される場合、ホバリングポインタの位置も第１のホバリングポインタ２５１２から第２のホバリングポインタ２５２２に変更して表示できる。
【０１５６】
次に、ステップＳ３４０で、ホバリング入力イベントは感知される。電子装置１００の制御部１１０は、ホバリング入力イベントを感知できる。ホバリング入力イベントは、タッチ用ペンに形成されたボタン押し、タッチ用ペンに対するタップ、タッチ用ペンが所定の速度より早く移動、アイコンに対するタッチのうちいずれか一つであり得る。例えば、入力手段は、図２６Ａに示すように、タッチ用ペン２００であり得る。タッチ用ペン２００は、ボタン２２０を含むことができる。電子装置１００の制御部１１０は、タッチ用ペン２００のボタン２２０の押しを感知できる。すなわち、制御部１１０は、タッチ用ペン２００に形成されたボタン２２０の押しに該当するホバリング入力イベントを感知できる。
【０１５７】
次に、ステップＳ３５０において、ホバリング入力イベントに対応する予め設定されたホバリング入力効果を入力領域に表示する。制御部１１０は、ステップＳ３４０で感知されたホバリング入力イベントに対応するホバリング入力効果を入力領域に表示できる。ホバリング入力イベントに対応するホバリング入力効果は、予め設定することができる。例えば、タッチ用ペンに形成されたボタン押しであるホバリング入力イベントに対応するホバリング入力効果は、リアルタイム高さに対応して太さが変更される筆書き効果に予め設定され得る。予め設定されたホバリング入力効果は、ステップＳ３３０で感知されたリアルタイム高さに対応して入力領域に表示することができる。また、予め設定されたホバリング入力効果は、ステップＳ３３０で感知されたホバリング位置の変化に対応して入力領域に表示することができる。予め設定されたホバリング入力効果は、リアルタイム高さとホバリング位置の変化に対応して入力領域に表示することができる。例えば、ホバリング入力イベントは、タッチ用ペン２００に形成されたボタン２２０の押しであり得る。そして、ホバリング入力イベントインタッチ用ペン２００に形成されたボタン２２０の押しに対応する予め設定されたホバリング入力効果は、リアルタイム高さに対応して太さが変更される筆書き効果であり得る。例えば、リアルタイム高さが低いほど太さが太くなる筆書き効果であり得る。その反対に、リアルタイム高さが高いほど太さが太くなる筆書き効果でもある。図２６Ａを参照すれば、電子装置１００の制御部１１０は、タッチ用ペン２００に形成されたボタン２２０の押しに該当するホバリング入力イベントを検出できる。このとき、タッチ用ペン２００に形成されたボタン２２０の押しに該当するホバリング入力イベントに対応する予め設定されたホバリング入力効果は、リアルタイム高さに対応して太さが変更される筆書き効果であり得る。したがって、制御部１１０は、リアルタイム高さに対応して太さが変更される筆書き効果をディスプレイ部１９０上の入力領域２５００に表示できる。例えば、制御部１１０は、リアルタイム高さが低いほど太さが増加する筆書き効果を入力領域に表示できる。すなわち、図２６Ａのように、制御部１１０は、タッチ用ペン２００のホバリング位置２６１２と電子装置から入力手段２６１０までのリアルタイム高さｈ１を感知できる。制御部１１０は、リアルタイム高さｈ１が低いほど太さが増加する筆書き効果を入力領域２５００に表示できる。図２６Ｂを参照すれば、制御部１１０は、タッチ用ペン２００のホバリング位置２６２２と電子装置から入力手段２６２０までのリアルタイム高さｈ２を感知できる。このとき、図２６Ｂのリアルタイム高さｈ２が図２６Ａのリアルタイム高さｈ１より高い。したがって、制御部１１０は、図２６Ｂのようにリアルタイム高さｈ２が高まることによって太さを小さくして筆書き効果２６０２を入力領域２３００に表示できる。すなわち、図２６Ａ及び図２６Ｂで説明するように、制御部１１０は、リアルタイム高さが低いほど太さが太くなる筆書き効果を入力領域に表示できる。
【０１５８】
したがって、本発明の他の実施形態によると、ホバリングポインタをディスプレイ部上に表示し、ホバリング入力イベントとリアルタイム高さに対応するホバリング入力効果を入力領域に表示できる。それによって、本発明の他の実施形態によると、ユーザーは、ホバリングポインタを見つつ、入力手段の位置を変更できる。また、本発明の他の実施形態によると、ユーザーは、ホバリングポインタをディスプレイ部上で見ることができるので、入力手段がホバリングされた位置を容易に把握できる。
【０１５９】
本発明の実施形態らはハードウェア、ソフトウェア、又はハードウェア及びソフトウェアの組み合わせの形態で実現可能であることがわかる。このような任意のソフトウェアは、例えば削除又は再起録の可能有無に関係なく、ＲＯＭなどの格納装置のような揮発性又は非揮発性格納装置、又は例えば、ＲＡＭ、メモリチップ、装置又は集積回路のようなメモリ、又は例えばＣＤ、ＤＶＤ、磁気ディスク、又は磁気テープのような光学又は磁気的に記録可能であると同時に機械(例えば、コンピュータ)で読み取り可能な記録媒体に格納することができる。また、本発明の実施形態は、制御部及びメモリを含むコンピュータ又は携帯端末により実現でき、メモリは、本発明の実施形態を実現する指示を含むプログラム又はプログラムを格納するのに適合した機械で読み取り可能な記録媒体の一例であることがわかる。したがって、本発明は、本明細書の任意の請求項に記載された装置又は方法を実現するためのコードを含むプログラム及びこのようなプログラムを格納する機械(コンピュータなど）で読み取り可能な記録媒体を含む。また、このようなプログラムは、有線又は無線連結を通じて伝送される通信信号のような任意の媒体を通じて電子的に移送でき、本発明はこれと均等なことを適切に含む。
【０１６０】
また、電子装置は、有線又は無線で連結されるプログラム提供装置からプログラムを受信して格納することができる。プログラム提供装置は、本発明の実施形態を遂行するようにする指示を含むプログラム、本発明の実施形態に必要な情報などを格納するためのメモリと、電子装置との有線又は無線通信を遂行するための通信部と、電子装置の要請又は自動で該当プログラムを送受信装置に伝送する制御部とを含むことができる。
【０１６１】
以上、本発明の詳細な説明においては具体的な実施形態に関して説明したが、特許請求の範囲の記載及びこれと均等なものに基づいて定められる本発明の範囲及び精神を逸脱することなく、形式や細部の様々な変更が可能であることは、当該技術分野における通常の知識を持つ者には明らかである
【符号の説明】
【０１６２】
１００  電子装置
１１０  制御部
１７５  格納部
１９０  ディスプレイ部
２００  タッチ用ペン
【図１】
2014110055.tif 000003
【図２】
2014110055.tif 000004
【図３】
2014110055.tif 000005
【図４】
2014110055.tif 000006
【図５】
2014110055.tif 000007
【図６Ａ】
2014110055.tif 000008
【図６Ｂ】
2014110055.tif 000009
【図７】
2014110055.tif 000010
【図８Ａ】
2014110055.tif 000011
【図８Ｂ】
2014110055.tif 000012
【図９Ａ】
2014110055.tif 000013
【図９Ｂ】
2014110055.tif 000014
【図１０Ａ】
2014110055.tif 000015
【図１０Ｂ】
2014110055.tif 000016
【図１１Ａ】
2014110055.tif 000017
【図１１Ｂ】
2014110055.tif 000018
【図１２Ａ】
2014110055.tif 000019
【図１２Ｂ】
2014110055.tif 000020
【図１３Ａ】
2014110055.tif 000021
【図１３Ｂ】
2014110055.tif 000022
【図１４Ａ】
2014110055.tif 000023
【図１４Ｂ】
2014110055.tif 000024
【図１５Ａ】
2014110055.tif 000025
【図１５Ｂ】
2014110055.tif 000026
【図１６Ａ】
2014110055.tif 000027
【図１６Ｂ】
2014110055.tif 000028
【図１７Ａ】
2014110055.tif 000029
【図１７Ｂ】
2014110055.tif 000030
【図１８Ａ】
2014110055.tif 000031
【図１８Ｂ】
2014110055.tif 000032
【図１９Ａ】
2014110055.tif 000033
【図１９Ｂ】
2014110055.tif 000034
【図２０Ａ】
2014110055.tif 000035
【図２０Ｂ】
2014110055.tif 000036
【図２１Ａ】
2014110055.tif 000037
【図２１Ｂ】
2014110055.tif 000038
【図２１Ｃ】
2014110055.tif 000039
【図２２】
2014110055.tif 000040
【図２３Ａ】
2014110055.tif 000041
【図２３Ｂ】
2014110055.tif 000042
【図２３Ｃ】
2014110055.tif 000043
【図２４】
2014110055.tif 000044
【図２５Ａ】
2014110055.tif 000045
【図２５Ｂ】
2014110055.tif 000046
【図２５Ｃ】
2014110055.tif 000047
【図２６Ａ】
2014110055.tif 000048
【図２６Ｂ】
2014110055.tif 000049